(57)【要約】【課題】  表示装置で表示する複数の表示領域（ウィンドウ）において表示する情報を簡単な操作で保持，復元等ができる情報表示システムを提供することを目的とする。【解決手段】  ユーザが操作するコンピュータの表示装置において，第１の表示領域の表示制御を行う端末側表示処理部と，ユーザが操作するコンピュータの表示装置において，第２の表示領域の表示制御を行う端末側表示管理処理部と，第２の表示領域に登録された際の第１の表示領域に関する情報を記憶する端末側表示情報記憶部と，を備えており，端末側表示管理処理部は，第２の表示領域において所定の操作が行われたことを検出すると，端末側表示情報記憶部を参照し，第１の表示領域の画像情報の表示または第１の表示領域の復元を行う，情報表示システムである。【選択図】  図１
2019106618.tif 000002
【特許請求の範囲】
【請求項１】
ユーザが操作するコンピュータの表示装置で表示する表示領域の表示制御を行う情報表示システムであって，
前記情報表示システムは，
ユーザが操作するコンピュータの表示装置において，第１の表示領域の表示制御を行う端末側表示処理部と，
ユーザが操作するコンピュータの表示装置において，第２の表示領域の表示制御を行う端末側表示管理処理部と，
前記第２の表示領域に登録された際の前記第１の表示領域に関する情報を記憶する端末側表示情報記憶部と，を備えており，
前記端末側表示管理処理部は，
前記第２の表示領域において所定の操作が行われたことを検出すると，前記端末側表示情報記憶部を参照し，前記第１の表示領域の画像情報の表示または前記第１の表示領域の復元を行う，
ことを特徴とする情報表示システム。
【請求項２】
前記情報表示システムは，さらに，
情報の連携を行う第１の表示領域を対応付けて管理する連携情報記憶部と，
第１の表示領域で所定の処理が行われた際のメッセージを受け付け，前記連携情報記憶部を参照して，連携先となるほかの第１の表示領域を特定し，特定した第１の表示領域に前記メッセージを送る配信処理部と，を備える，
ことを特徴とする請求項１に記載の情報表示システム。
【請求項３】
前記端末側表示情報記憶部は，
前記第１の表示領域に関する情報として，前記第１の表示領域の画像情報を含み，
前記端末側表示管理処理部は，
前記第２の表示領域において，前記第１の表示領域の表示操作が行われたことを検出すると，前記端末側表示情報記憶部に記憶している前記第１の表示領域の画像情報を表示させる，
ことを特徴とする請求項１または請求項２に記載の情報表示システム。
【請求項４】
前記端末側表示情報記憶部は，
前記第１の表示領域に関する情報として，前記第１の表示領域の画像情報と前記第１の表示領域の識別情報とを含み，
前記端末側表示管理処理部は，
前記第２の表示領域において，前記第１の表示領域の表示操作が行われたことを検出すると，前記端末側表示情報記憶部に記憶している前記第１の表示領域の識別情報に基づいて，前記表示操作が行われた第１の表示領域を特定し，前記特定した第１の表示領域において前記第１の表示領域の画像情報を表示させる，
ことを特徴とする請求項１または請求項２に記載の情報表示システム。
【請求項５】
前記端末側表示情報記憶部は，
前記第１の表示領域に関する情報として，前記第１の表示領域の識別情報と前記第１の表示領域の内部状態情報とを含み，
前記端末側表示管理処理部は，さらに，
前記第２の表示領域において，第１の表示領域の復元操作が行われたことを検出すると，前記端末側表示情報記憶部に記憶している前記第１の表示領域の識別情報に基づいて，前記復元操作が行われた第１の表示領域を特定し，前記特定した第１の表示領域において前記第１の表示領域の内部状態情報に対する処理を実行させ，
前記配信処理部は，
前記第１の表示領域の内部状態情報に対する処理に対応するメッセージを受け付け，前記連携情報記憶部を参照して，連携先となるほかの第１の表示領域を特定し，特定した第１の表示領域に前記メッセージを送ることで，連携先となるほかの第１の表示領域に，前記メッセージに対応する処理を実行させる，
ことを特徴とする請求項２から請求項４のいずれかに記載の情報表示システム。
【請求項６】
前記端末側表示処理部は，
メッセージの階層構造に応じたレベルと，メッセージに対する処理とが設定されており，
前記第１の表示領域で所定の処理が行われた際の階層構造の一部または全部を有するメッセージを前記端末側通信処理部を介して受け付け，前記設定されたレベルに対応する前記メッセージに基づく処理を実行して，その端末側表示処理部が表示制御をする第１の表示領域に表示させる，
ことを特徴とする請求項２から請求項５のいずれかに記載の情報表示システム。
【請求項７】
前記情報表示システムは，さらに，
オブジェクトの識別情報を記憶する階層構造情報記憶部と，
前記メッセージにおけるオブジェクトの識別情報に基づいて，階層構造化したメッセージを生成するメッセージ処理部と，を備えており，
前記配信処理部は，
前記受け付けたメッセージが階層構造を有しない場合には，そのメッセージを階層構造化したメッセージとし，前記連携情報記憶部を参照して，連携先となるほかの第１の表示領域を特定し，特定した第１の表示領域に前記階層構造を有するメッセージを送り，
前記端末側表示処理部は，
メッセージの階層構造に応じたレベルと，メッセージに対する処理とが設定されており，
前記第１の表示領域で所定の処理が行われた際の階層構造の一部または全部を有するメッセージを前記端末側通信処理部を介して受け付け，前記設定されたレベルに対応する前記メッセージに基づく処理を実行して，その端末側表示処理部が表示制御をする第１の表示領域に表示させる，
ことを特徴とする請求項２から請求項５のいずれかに記載の情報表示システム。
【請求項８】
前記端末側表示処理部は，
前記端末側通信処理部を介して受け付けた前記配信処理部から送られたメッセージを，前記設定されたレベルに置換して，置換後のメッセージに基づいて処理を実行して，その端末側表示処理部が表示制御をする第１の表示領域に表示させる，
ことを特徴とする請求項６または請求項７に記載の情報表示システム。
【請求項９】
前記情報表示システムは，
利用するコンピュータの表示装置の大きさおよび／または解像度を少なくとも含む情報に基づいてグループごとに分類した，前記第１の表示領域および／または前記第２の表示領域の組み合わせと配置の情報を有する前記端末表示制御処理部，を備えており，
前記表示装置の大きさおよび／または解像度の情報を用いて，前記端末表示制御処理部における前記第１の表示領域および／または前記第２の表示領域の組み合わせと配置の情報を特定し，特定した情報にしたがって，前記端末側表示処理部のそれぞれが，前記表示装置で，自らの表示領域の表示制御を行う，
ことを特徴とする請求項１から請求項８のいずれかに記載の情報表示システム。
【請求項１０】
前記情報表示システムは，さらに，
前記受け付けたメッセージを記憶するログ記憶部と，
前記表示領域に対する操作を復元するための端末側復元処理部と，を備えており，
前記端末側復元処理部は，
ｎ個前の操作による復元を行うことの操作を検出してそのメッセージを前記配信処理部に送り，
前記配信処理部は，
前記受け付けた前記メッセージに対応するｎ個前の操作のログを，前記ログ記憶部に基づいて特定し，
前記特定したログに基づくメッセージを，そのメッセージの配信先となる連携先の表示領域に対して配信する，
ことを特徴とする請求項１から請求項９のいずれかに記載の情報表示システム。
【請求項１１】
コンピュータを，
ユーザが操作するコンピュータの表示装置において，第１の表示領域の表示制御を行う端末側表示処理部，
ユーザが操作するコンピュータの表示装置において，第２の表示領域の表示制御を行う端末側表示管理処理部，
として機能させるプログラムであって，
前記端末側表示管理処理部は，
前記第２の表示領域において所定の操作が行われたことを検出すると，前記第２の表示領域に登録された際の前記第１の表示領域に関する情報を記憶する端末側表示情報記憶部を参照し，前記第１の表示領域の画像情報の表示または前記第１の表示領域の復元を行う，
ことを特徴とするプログラム。
【発明の詳細な説明】
【技術分野】
【０００１】
本発明は，情報表示システムに関する。とくに，表示装置で表示する複数の表示領域（ィンドウ）において表示する情報を簡単な操作で保持，復元等ができる情報表示システムに関する。
【背景技術】
【０００２】
高速道路や鉄道などに関する構造物の維持管理のためには，多種多様な管理対象，たとえば橋梁，トンネル，軌道，ガードレール，標識，法面などを取り扱わなければならない。しかし，それぞれの管理対象は，さらに細分化した管理単位がある。たとえば管理対象が橋梁の場合，径間や床版など，橋梁を構成する構成要素（部材）ごとに管理単位がある。また，橋梁よりも上位の管理単位としては，その橋梁が存在する路線や，その路線を管理する事務所などがある。この管理対象を捉える単位を，本明細書では「レベル」と称する。
【０００３】
そして，たとえば広い地域におよぶ路線に沿って並ぶ道路や橋梁，ガードレールや標識などの道路の附帯物を，一括して補修予算の観点で管理したり，個々の構造物の図面を，径間などの構造物の構成要素ごとに分解した図面で管理したり，あるいは構造物の特定の構成要素に関わる個々の変状（たとえば損傷箇所など，通常とは異なる状態にある箇所）をまとめて管理する必要がある。
【０００４】
このように，互いに関連しあったさまざまなレベルの管理対象について，従来は，用途，目的が異なれば，用途，目的ごとに個別のデータベースに格納して管理しており，それらを互いに紐付けたり，一方から他方を参照するなどはほとんど行われていなかった。たとえば，構造物の補修予算を立案するときには，さまざまな管理対象の状態を把握し，最適な予算配分を行う必要があるが，これまでは経費に関わるデータベースが構築，利用され，そこに補修対象となる個別の変状の情報が紐付けられ，すぐに具体的な変状を確認することができなかった。
【０００５】
また，現場の維持管理業務では，関連する複数の状況を速やかに把握し，総合的な見地に基づいた的確な判断が求められるが，必要な情報を取得するために，多くの時間を必要とすることが大きな課題となっていた。
【０００６】
そこで，さまざまなレベルの管理対象について，一つあるいは複数の表示装置（モニター）で，さまざまな管理対象に関する情報を連動させながら表示を行うことで，管理対象の管理を容易にするシステムが求められている。
【０００７】
一つの表示装置で複数の対象を表示させることが可能な従来のシステムとして，たとえばモニタリング対象をカメラなどの撮像装置で撮像し，各撮像装置で撮像した画像を，表示装置で複数の領域に区切った各領域で表示させる方法がある（特許文献１乃至特許文献３）。
【先行技術文献】
【特許文献】
【０００８】
【特許文献１】特開２０００−２４４８９６号公報
【特許文献２】特開２０１５−０６００２１号公報
【特許文献３】特開平８−２１２０４４号公報
【発明の概要】
【発明が解決しようとする課題】
【０００９】
特許文献１および特許文献２の発明の場合，各撮像装置で撮像した画像を，一つの表示装置で同時に表示させることは可能であるが，それらを連動させて表示させることはできない。また，特許文献３の発明は端末間の画面の同期方法であり，ある端末で表示している画面と，ほかの端末で表示している画面とを同一の状態に同期させるものである。そのため，「同一の状態にする」という点においては連動しているものの，同一ではないが関連した情報を表示させることはできない。
【００１０】
構造物の維持管理の場合，さまざまなレベルの管理対象について，一つの表示装置（モニター）で，さまざまな管理対象に関する情報を連動させながら表示を行うことで，管理対象の管理を容易にするシステムが求められているが，特許文献３の発明を利用したとしても，それを実現することはできない。
【００１１】
すなわち，たとえば一つの表示装置に３つの表示領域（ウィンドウ）を表示する場合，ウィンドウ１では道路の路線図を表示し，ウィンドウ２では橋梁の構造図を表示し，ウィンドウ３ではその橋梁の変状に関する情報を表示していたとする。ウィンドウ１で道路の路線図における特定の橋梁を選択した場合，ウィンドウ２では当該選択された橋梁の構造図の表示に切り替え，ウィンドウ３では当該選択された橋梁の変状に関する情報の表示に切り替えることが求められる。しかし，特許文献３の発明の場合ではかかる処理を実行することはできない。
【００１２】
さらに，構造物の維持管理の場合，構造物が存在する現場と，情報整理や判断を行う事務所，場合によっては業務統括を行う本社，支社が存在し，これらの各拠点で情報共有を行うことも求められている。たとえば災害や事故が発生した場合には，現場にいる担当者がタブレット型コンピュータを携行し，事務所ではパーソナルコンピュータ，本社や支社では大型モニターといった異なる表示サイズ，解像度のデバイスを用いて，同一の情報を共有しながら同時に作業を進めることもある。この場合，どのデータをどのように見ているのかを共有することが好ましいが，当然，異なるサイズ，解像度のデバイスを用いているので，単に，すべての表示内容を同期したのでは対応することができない。
【００１３】
このような課題を解決するために各表示領域を連携することで，各表示領域に関連した情報を表示させることが考えられる。しかし，ただ表示領域を連携させただけでは，ある表示領域の表示が更新されると，連携するほかの表示領域の表示も更新されることとなる。たとえば，ユーザの直接の操作とは別にシステムによって，表示領域の表示が更新されることもある。そのため，ユーザが気になった情報があり，その情報を保持していたいと考えた場合であっても，それを保持することができない。またスクリーンショットのような方法で保持することができたとしても，情報の保持とその復元が容易に行えるものではない。とくに，各表示領域を連携する場合，一つの対象に関する複数レベルの表示を同時に行うこともできるので，情報を容易に復元することは，ユーザの利便性の観点から重要であり，それが求められているが，従来ではそれを行うことができない。
【課題を解決するための手段】
【００１４】
そこで本発明者は上記課題に鑑み，連携する表示領域に関連情報を表示させながら，表示領域に表示する情報を保持し，また簡単な操作で復元等することができる情報表示システムを発明した。
【００１５】
第１の発明は，ユーザが操作するコンピュータの表示装置で表示する表示領域の表示制御を行う情報表示システムであって，前記情報表示システムは，ユーザが操作するコンピュータの表示装置において，第１の表示領域の表示制御を行う端末側表示処理部と，ユーザが操作するコンピュータの表示装置において，第２の表示領域の表示制御を行う端末側表示管理処理部と，前記第２の表示領域に登録された際の前記第１の表示領域に関する情報を記憶する端末側表示情報記憶部と，を備えており，前記端末側表示管理処理部は，前記第２の表示領域において所定の操作が行われたことを検出すると，前記端末側表示情報記憶部を参照し，前記第１の表示領域の画像情報の表示または前記第１の表示領域の復元を行う，情報表示システムである。
【００１６】
本発明のように構成することで，表示領域に表示する情報を保持し，また簡単な操作で復元することが可能となる。
【００１７】
上述の発明において，前記情報表示システムは，さらに，情報の連携を行う第１の表示領域を対応付けて管理する連携情報記憶部と，第１の表示領域で所定の処理が行われた際のメッセージを受け付け，前記連携情報記憶部を参照して，連携先となるほかの第１の表示領域を特定し，特定した第１の表示領域に前記メッセージを送る配信処理部と，を備える，情報表示システムのように構成することができる。
【００１８】
第１の表示領域同士が連携している場合には，ある表示領域の表示が更新されると，連携するほかの表示領域の表示も更新される。そのため，ユーザが意図しない場合でも，表示領域の表示が変わってしまう可能性がある。そこで，本発明を用いることで，ユーザが表示領域（第１の表示領域）の情報を保持しておきたい場合には，所定の操作を行うことで，第２の表示領域にその情報を保持することができる。そして保持した第１の表示領域を簡単な操作で表示，復元することができる。
【００１９】
たとえば遠隔地間の協調作業を行うとき，一人のユーザが，あるいは複数のユーザが，それぞれ重要な情報，気になる情報を保持しておけば，自分の第２の表示領域から第１の表示領域に復元するだけで，表示領域を連携しているほかのユーザと情報の共有をすることができる。本発明は，とくに，広い地域に分散した事務所同士で，各事象の具体例を共有しながら，それらの差異や類似性等を議論し，一つの見解，たとえば構造物の補修の優先度を決めるなどの場面などで有益である。たとえば，それぞれの事務所で，それぞれの具体例を第２の表示領域に保持しておき，テーマに沿った例をその場でそれぞれ復元するだけで，全事務所の表示装置上に，その具体例と，それに関わる構造物の情報が，各事務所の望む観点（表示領域の選択とレイアウト）で表示できる。これによって，より円滑で迅速な共通理解を得ることができる。
【００２０】
上述の発明において，前記端末側表示情報記憶部は，前記第１の表示領域に関する情報として，前記第１の表示領域の画像情報を含み，前記端末側表示管理処理部は，前記第２の表示領域において，前記第１の表示領域の表示操作が行われたことを検出すると，前記端末側表示情報記憶部に記憶している前記第１の表示領域の画像情報を表示させる，情報表示システムのように構成することができる。
【００２１】
上述の発明において，前記端末側表示情報記憶部は，前記第１の表示領域に関する情報として，前記第１の表示領域の画像情報と前記第１の表示領域の識別情報とを含み，前記端末側表示管理処理部は，前記第２の表示領域において，前記第１の表示領域の表示操作が行われたことを検出すると，前記端末側表示情報記憶部に記憶している前記第１の表示領域の識別情報に基づいて，前記表示操作が行われた第１の表示領域を特定し，前記特定した第１の表示領域において前記第１の表示領域の画像情報を表示させる，情報表示システムのように構成することができる。
【００２２】
保持した第１の表示領域の画像情報を表示したい場合には，本発明の処理を実行することで実現できる。また，第１の表示領域の画像情報をポップアップ画面など任意の方法で表示してもよいが，対応する第１の表示領域に表示することで，ユーザにとってはどこの表示領域の画像情報であるかを認識できるので利便性が向上する。
【００２３】
上述の発明において，前記端末側表示情報記憶部は，前記第１の表示領域に関する情報として，前記第１の表示領域の識別情報と前記第１の表示領域の内部状態情報とを含み，前記端末側表示管理処理部は，さらに，前記第２の表示領域において，第１の表示領域の復元操作が行われたことを検出すると，前記端末側表示情報記憶部に記憶している前記第１の表示領域の識別情報に基づいて，前記復元操作が行われた第１の表示領域を特定し，前記特定した第１の表示領域において前記第１の表示領域の内部状態情報に対する処理を実行させ，前記配信処理部は，前記第１の表示領域の内部状態情報に対する処理に対応するメッセージを受け付け，前記連携情報記憶部を参照して，連携先となるほかの第１の表示領域を特定し，特定した第１の表示領域に前記メッセージを送ることで，連携先となるほかの第１の表示領域に，前記メッセージに対応する処理を実行させる，情報表示システムのように構成することができる。
【００２４】
保持した第１の表示領域の内部状態情報を復元したい場合には，本発明の処理を実行することで実現できる。保持した第１の表示領域の内部状態を，第１の表示領域に復元すれば，第１の表示領域は通常の表示領域であるので，ほかの表示領域と連携している場合もある。その場合，内部状態を復元した第１の表示領域と連携をするほかの第１の表示領域にもその復元に基づく反映をさせることができ，情報の共有を実現することができる。
【００２５】
上述の発明において，前記端末側表示処理部は，メッセージの階層構造に応じたレベルと，メッセージに対する処理とが設定されており，前記第１の表示領域で所定の処理が行われた際の階層構造の一部または全部を有するメッセージを前記端末側通信処理部を介して受け付け，前記設定されたレベルに対応する前記メッセージに基づく処理を実行して，その端末側表示処理部が表示制御をする第１の表示領域に表示させる，情報表示システムのように構成することができる。
【００２６】
本発明のように構成することで，表示装置に表示する表示領域では，自らのレベルに対応する情報を表示することができる。すなわち，従来の情報の連携システムでは，同一の情報を同期システムなどを用いて，複数の表示装置で表示させることはできたが，同一ではないが，関連する情報を表示させることはできなかった。しかし，本発明のように，表示領域で所定の操作が行われた際には階層構造を有するメッセージが，配信処理部を介してほかの連携先の表示領域に送られ，メッセージを受け付けた表示領域では，設定されたレベルに基づいてその処理を実行することができる。そのため，たとえば，表示領域１乃至表示領域３があり，表示領域１では道路の路線図を表示し，表示領域２では橋梁の構造図を表示し，ウィンドウ３ではその橋梁の変状に関する情報を表示していたときに，表示領域１で道路の路線図における特定の橋梁を選択した場合，表示領域１から，その橋梁を示す階層構造を有するメッセージが，配信処理部を介して，連携先となるほかの表示領域にも送られる。そして，連携先が表示領域２，３であったとき，表示領域２では当該選択された橋梁の構造図の表示に切り替え，ウィンドウ３では当該選択された橋梁の変状に関する情報の表示を行うことが可能となる。
【００２７】
このように，本発明の情報表示システムを用いることによって，単なる同期処理ではなく，管理対象の階層構造のレベルに応じた，情報の連携が可能となる。  
【００２８】
上述の発明において，前記情報表示システムは，さらに，オブジェクトの識別情報を記憶する階層構造情報記憶部と，前記メッセージにおけるオブジェクトの識別情報に基づいて，階層構造化したメッセージを生成するメッセージ処理部と，を備えており，前記配信処理部は，前記受け付けたメッセージが階層構造を有しない場合には，そのメッセージを階層構造化したメッセージとし，前記連携情報記憶部を参照して，連携先となるほかの第１の表示領域を特定し，特定した第１の表示領域に前記階層構造を有するメッセージを送り，前記端末側表示処理部は，メッセージの階層構造に応じたレベルと，メッセージに対する処理とが設定されており，前記第１の表示領域で所定の処理が行われた際の階層構造の一部または全部を有するメッセージを前記端末側通信処理部を介して受け付け，前記設定されたレベルに対応する前記メッセージに基づく処理を実行して，その端末側表示処理部が表示制御をする第１の表示領域に表示させる，情報表示システムのように構成することができる。
【００２９】
本発明のように構成することで，上述の発明と同様の技術的効果を得ることができる。すなわち，本発明の情報表示システムを用いることによって，単なる同期処理ではなく，管理対象の階層構造のレベルに応じた，情報の連携が可能となる。
【００３０】
また，表示領域から送るメッセージが階層構造化されていない場合には，メッセージの階層構造化を行う生成処理を実行する。そのため，表示領域の制御を行うプログラムの独立性を高めることができる。
【００３１】
上述の発明において，前記端末側表示処理部は，前記端末側通信処理部を介して受け付けた前記配信処理部から送られたメッセージを，前記設定されたレベルに置換して，置換後のメッセージに基づいて処理を実行して，その端末側表示処理部が表示制御をする第１の表示領域に表示させる，情報表示システムのように構成することができる。
【００３２】
メッセージの階層構造に基づく処理は，本発明のように，メッセージを，表示領域に設定されたレベルに置換し，置換後のメッセージに基づいて処理を実行することが好ましい。なお，本明細書においてメッセージの置換とは，そのメッセージを表示領域に設定されたレベルに応じて縮約することを意味する。
【００３３】
上述の発明において，前記情報表示システムは，利用するコンピュータの表示装置の大きさおよび／または解像度を少なくとも含む情報に基づいてグループごとに分類した，前記第１の表示領域および／または前記第２の表示領域の組み合わせと配置の情報を有する前記端末表示制御処理部，を備えており，前記表示装置の大きさおよび／または解像度の情報を用いて，前記端末表示制御処理部における前記第１の表示領域および／または前記第２の表示領域の組み合わせと配置の情報を特定し，特定した情報にしたがって，前記端末側表示処理部のそれぞれが，前記表示装置で，自らの表示領域の表示制御を行う，情報表示システムのように構成することができる。
【００３４】
本発明のように情報連携を行うシステムでは，複数のコンピュータが情報の連携をしている場合がある。そのような場合，各コンピュータにおいて，表示装置の大きさ（サイズ），解像度が異なることがある。そのため，各表示装置の大きさ，解像度に適した，表示領域の配置を行うことが求められており，本発明を用いることによって，それが実現できる。
【００３５】
上述の発明において，前記情報表示システムは，さらに，前記受け付けたメッセージを記憶するログ記憶部と，前記表示領域に対する操作を復元するための端末側復元処理部と，を備えており，前記端末側復元処理部は，ｎ個前の操作による復元を行うことの操作を検出してそのメッセージを前記配信処理部に送り，前記配信処理部は，前記受け付けた前記メッセージに対応するｎ個前の操作のログを，前記ログ記憶部に基づいて特定し，前記特定したログに基づくメッセージを，そのメッセージの配信先となる連携先の表示領域に対して配信する，情報表示システムのように構成することができる。
【００３６】
上述の各発明では，ある表示領域（第１の表示領域）において行った操作は，ほかの連携先となる表示領域にも反映することとなる。そのため，ユーザがある表示領域において，誤った操作を行ってしまった場合，そのペインがほかの表示領域と連携しているときには，誤って操作をした表示領域のみならず，連携しているほかの表示領域にもその誤操作が反映する。そのため，誤って操作をしたユーザのみならず，ほかのユーザに対しても，いままでの操作とは関連性が低い表示に更新されてしまう。そのため，簡単な操作で元に戻せることが好ましい。
【００３７】
そこで本発明のように，メッセージをログとして記憶しておき，ｎ個前のログを特定することで，それに基づくメッセージを，配信先となる連携先の表示領域に対して配信することで，復元操作が可能となる。これによって，仮に誤った操作が行われた場合であっても，簡単に元に戻せる。また，誤った操作でない場合であっても，ユーザが所望する時点の操作を復元することができる。
【００３８】
第１の発明の情報表示システムは，本発明のプログラムをコンピュータに読み込ませて実行することで実現できる。すなわち，コンピュータを，ユーザが操作するコンピュータの表示装置において，第１の表示領域の表示制御を行う端末側表示処理部，ユーザが操作するコンピュータの表示装置において，第２の表示領域の表示制御を行う端末側表示管理処理部，として機能させるプログラムであって，前記端末側表示管理処理部は，前記第２の表示領域において所定の操作が行われたことを検出すると，前記第２の表示領域に登録された際の前記第１の表示領域に関する情報を記憶する端末側表示情報記憶部を参照し，前記第１の表示領域の画像情報の表示または前記第１の表示領域の復元を行う，プログラムである。
【発明の効果】
【００３９】
本発明の情報表示システムを用いることによって，連携する表示領域に関連情報を表示させながら，表示領域に表示する情報を保持し，また簡単な操作で復元することができる。
【図面の簡単な説明】
【００４０】
【図１】本発明の情報表示システムの全体のシステム構成の一例を模式的に示す概念図である。
【図２】本発明の情報表示システムの処理イメージの一例を模式的に示す概念図である。
【図３】本発明の情報表示システムで利用するコンピュータのハードウェア構成の一例を模式的に示す図である。
【図４】本社や支社などのタッチパネル型の大型ディスプレイを表示装置として用いた場合に表示される画面の一例を模式的に示す図である。
【図５】ピンナップボードを含む画面の表示の一例を模式的に示す図である。
【図６】ピンナップボードを用いた場合の処理の一例を模式的に示す図である。
【図７】端末側表示情報記憶部の一例を模式的に示す図である。
【図８】本発明の情報表示システムの処理プロセスの一例を示すフローチャートの一例である。
【図９】本発明の情報表示システムの基本的構成の処理イメージの一例を模式的に示す概念図である。
【図１０】本発明の情報表示システムの基本的構成における全体のシステム構成の一例を模式的に示す概念図である。
【図１１】連携情報記憶部の一例を模式的に示す概念図である。
【図１２】メッセージの一例を示す図である。
【図１３】図１２のメッセージの階層構造を模式的に示す図である。
【図１４】ペインがピンナップボードにピンナップされる場合のユーザ側システムの処理イメージの一例を模式的に示す図である。
【図１５】ピンナップボードにペインが登録された場合のユーザ側システムの処理イメージの一例を模式的に示す図である。
【図１６】図１５の状態から，ピンナップボードにさらに新しいペインが登録された場合のユーザ側システムの処理イメージの一例を模式的に示す図である。
【図１７】ピンナップボードに表示しているサムネイルを，対応するペインに再現する場合のユーザ側システムの処理イメージの一例を模式的に示す図である。
【図１８】ピンナップボードの情報を，対応するペインに復元する場合のユーザ側システムの処理イメージの一例を模式的に示す図である。
【図１９】実施例２における本発明の情報表示システムの全体のシステム構成の一例を模式的に示す概念図である。
【図２０】実施例２における階層構造化したメッセージの生成の概念の一例を模式的に示す図である。
【図２１】階層構造情報記憶部の概念の一例を模式的に示す図である。
【図２２】実施例３におけるタブ方式のペインの場合の一例を模式的に示す図である。
【図２３】実施例５における本発明の情報表示システムの全体のシステム構成の一例を模式的に示す概念図である。
【図２４】実施例７における本発明の情報表示システムの全体のシステム構成の一例を模式的に示す概念図である。
【図２５】実施例８における情報表示システム１の全体のシステム構成の一例を示す図である。
【図２６】プレイバックペインを含む画面の一例を示す図である。
【図２７】リワインド処理の一例を模式的に示す図である。
【図２８】フォワード処理の一例を模式的に示す図である。
【発明を実施するための形態】
【００４１】
本発明の情報表示システム１のシステム構成の一例を図１に，処理のイメージを模式的に示すのが図２である。情報表示システム１はサーバ側システム２と，各ユーザが利用するユーザ側システム３とを備える。ここでユーザとはシステムを利用する者という意味であり，現場担当者，情報整理や判断を行う事務所の担当者，業務統括を行う本社や支社の担当者などの，コンピュータを利用する者である。また担当者は複数であってもよく，同時に複数の者がコンピュータを操作してもよい。たとえば現場担当者はタブレット型コンピュータ（ユーザ端末）をユーザ側システム３として利用し，事務所の担当者らはパーソナルコンピュータ（ユーザ端末）をユーザ側システム３として利用し，本社や支社ではタッチパネル型の大型モニターを備えたコンピュータ（ユーザ端末）をユーザ側システム３として利用する。本発明における各ユーザ側システム３の基本となる構成は同じである。なお，ユーザ端末とはユーザが操作するコンピュータであり，ユーザ側システム３とは，後述するユーザ端末で実行される機能を備えたコンピュータシステムをいう。
【００４２】
ユーザ側システム３，サーバ側システム２はコンピュータによって実現される。図３にコンピュータのハードウェア構成の一例を示す。コンピュータは，プログラムの演算処理を実行するＣＰＵなどの演算装置７０と，情報を記憶するＲＡＭやハードディスクなどの記憶装置７１と，ディスプレイなどの表示装置７２と，情報の入力を行う入力装置７３と，演算装置７０の処理結果や記憶装置７１に記憶する情報の通信をする通信装置７４とを有している。なお，コンピュータがタッチパネルディスプレイを備えている場合には入力装置７３と表示装置７２とが一体的に構成されていてもよい。タッチパネルディスプレイは，たとえば現場担当者が利用するタブレット型コンピュータなどの可搬型通信端末や，本社や支社などに設置される大型ディスプレイを備えたコンピュータなどがコンピュータの場合に利用されることが多いが，それらに限定されるものではない。
【００４３】
なお，タッチパネルディスプレイは，そのディスプレイ上で，直接，所定の入力デバイス（タッチパネル用のペンなど）や指などによって入力を行える点で，表示装置７２と入力装置７３の機能が一体化した装置である。
【００４４】
サーバ側システム２は一台のコンピュータによって実現されていてもよいが，その機能が複数のコンピュータによって実現されていてもよい。この場合のコンピュータとして，たとえばクラウドサーバであってもよい。
【００４５】
さらに，本発明の情報表示システム１における各手段は，その機能が論理的に区別されているのみであって，物理上あるいは事実上は同一の領域を為していても良い。
【００４６】
サーバ側システム２は，連携処理部２１と端末表示制御処理部２２とアプリケーション処理部２３とを備える。
【００４７】
連携処理部２１は，ユーザ側システム３で表示する表示領域間での通信を仲介する。連携処理部２１は，連携管理部２１１と連携情報記憶部２１２と配信処理部２１３とを備える。
【００４８】
連携管理部２１１は，ユーザ側システム３から自らの登録要求を受け付けた場合に，そのユーザ側システム３を連携対象として管理する。
【００４９】
連携情報記憶部２１２は，連携管理部２１１で受け付けた情報に基づいて，連携すべきユーザ側システム３などの情報を記憶する。具体的には，ユーザ側システム３で起動している後述のユーザを識別するユーザ識別情報（ユーザＩＤ），ペイン種別識別情報，ペインビューア識別情報とを対応付けて記憶する。また，連携先となっているユーザ識別情報，ペイン種別識別情報とをグループとして対応付けて記憶している。
【００５０】
配信処理部２１３は，ユーザ側システム３から連携すべきメッセージを受け付けた場合，連携情報記憶部２１２に記憶する情報に基づいて連携先を特定し，特定した連携先に対して，当該メッセージを配信する。この配信は好ましくは，同時にメッセージの配信を行うブロードキャスト配信が好ましいが，それに限定はされない。
【００５１】
端末表示制御処理部２２は，ユーザ側システム３の表示装置７２で表示する各表示領域の組み合わせと配置とを定義する情報を記憶しており，ユーザ側システム３における表示領域の組み合わせと配置を制御する。好ましくは，あらかじめ，組織内のユーザを，所属する部署，職掌，利用するユーザ端末（ユーザ側システム３を実現するコンピュータ）の表示装置７２のサイズや解像度に基づいてグループに分類しておく。そして，情報表示システム１のシステム管理者は，各グループについて，ユーザ側システム３で備える，後述する端末側表示処理部３１の構成，すなわち端末側表示処理部３１が表示する表示領域の種別の組み合わせと表示装置７２における座標情報などの配置位置（「レイアウト情報」とする）とを，定義づけ，設定しておく。なお，この際には，１つのグループがその利用場面に応じて，異なる表示領域の種別の組み合わせと配置位置を用いる場合があるので，複数のレイアウト情報を定義づけ，設定しておいてもよい。レイアウト情報としては，いわゆるスタイルシート（ＣＳＳ）などを用いることが好ましい。
【００５２】
アプリケーション処理部２３は，管理対象となる構造物などのオブジェクトをレベルごとに階層構造に対応させて記憶しており，ユーザ側システム３から問い合わせを受け付けた情報を当該ユーザ側システム３に返す。たとえば，変状については，「Ｘ事務所（事務所ＩＤ１）」の「Ｙ路線（路線ＩＤ１）」の「α橋（橋梁ＩＤ１）」の「β径間（径間ＩＤ１）」の「γ床版（床版ＩＤ１）」の「変状１（変状ＩＤ１）」のように，各種の情報を，後述するメッセージの情報に対応するように，レベルに対応させて記憶している。ある特定の構造物に関する情報の問い合わせをユーザ側システム３から受け付けると，その問い合わせを行った，後述のユーザ側システム３の端末側表示処理部３１に設定されたレベルに対応するレベルにおける，問い合わせに対する情報を抽出してユーザ側システム３に返す。なお，アプリケーション処理部２３は，サーバ側システム２のサーバとして実現されていてもよいし，異なるシステムとして実現されていてもよい。また，本発明の情報表示システム１とは分離した無関係のインターネットにおけるウェブサーバなどであってもよい。
【００５３】
オブジェクトとは，情報表示システム１または各階層構造におけるデータ要素である。データ要素としては，たとえば，事務所，高速道路などの路線，橋梁，橋脚，床版，変状などの，本発明の情報表示システム１を用いて管理する管理対象となる要素である。オブジェクトとなるデータ要素が，後述する各ペインにおいて表示等の処理対象となる。
【００５４】
オブジェクトに対しては，そのすべてに識別情報が割り当てられている。この識別情報は，情報表示システム１において一意の識別情報であってもよいし，その階層構造において一意の識別情報であってもよい。
【００５５】
ユーザ側システム３は，端末側表示処理部３１と端末側通信処理部３２と端末側表示管理処理部３３と端末側表示情報記憶部３４とを備える。
【００５６】
端末側表示処理部３１は，ユーザ側システム３の表示装置７２において表示する情報の制御を行う。端末側表示処理部３１では，管理対象であるオブジェクトについて，あらかじめ定められたレベルで表示対象として管理している。そのため，サーバ側システム２から配信を受けたメッセージを自らのレベルに置換して，自らのレベルに沿った情報の表示制御を行う。
【００５７】
端末側通信処理部３２は，ユーザ側システム３とサーバ側システム２との間の通信の制御を行う。端末側通信処理部３２は，ユーザ側システム３が通信を行う相手となるサーバ側システム２の通信先の情報，たとえばＩＰアドレス，ポート番号などの情報を記憶している。
【００５８】
本発明において端末側表示処理部３１はペインビューアと称し，端末側通信処理部３２は連携モジュールと称することもある。ユーザ側システム３においては，その表示装置７２において，複数のペインビューアが，好ましくは重畳しないように（いわゆるタイル型ウィンドウとして）表示されている（図２参照）。端末側表示処理部３１であるペインビューアが表示制御を行う表示領域（ウィンドウ）をペインと称する。したがって，端末側表示処理部３１であるペインビューアは，ペイン内の表示制御を司るプログラムとなる。そしてユーザ側システム３の表示装置７２で表示するペインの配置は，サーバ側システム２における端末表示制御処理部２２の表示制御にしたがって行う。
【００５９】
各ユーザ側システム３においては，複数の端末側表示処理部３１（ペインビューア）が実行されており，各ペインで表示するオブジェクトの階層構造におけるレベルが設定されている。そしてペインビューアは一つの表示対象を一つのレベルで表示する。たとえば，広域レベル，事務所管内レベル，路線レベル，構造物レベル，部材レベル，変状レベルなど，階層構造化されたメッセージに基づいて，どのレベルでペインに情報を表示させるかが設定されている。またそれぞれの端末側表示処理部３１に対応づけて端末側通信処理部３２（連携モジュール）が実行される。たとえば図２に示すように，ユーザ端末１の表示装置７２には通常のペインとしてＡペインからＣペインが表示されるので（Ｄペインはピンナップボードであるので，詳細は後述する），ユーザ端末１におけるユーザ側システム３では，ＡペインからＣペインまで対応する端末側表示処理部３１（ペインビューア）が起動しており，またそれらに対応するそれぞれの端末側通信処理部３２（連携モジュール）が起動している。さらに，ユーザ端末２の表示装置７２ではＡペインとＢペインとが表示されるので，ユーザ端末２におけるユーザ側システム３では，ＡペインとＢペインに対応する端末側表示処理部３１（ペインビューア）が起動しており，またそれらに対応するそれぞれの端末側通信処理部３２（連携モジュール）が起動している。
【００６０】
図４に，本社や支社などのタッチパネル型の大型ディスプレイを表示装置７２として用いた場合に表示される各ペインを表示している画面の一例を示す。図４では，タッチパネル型の大型ディスプレイに，２２個のペインが設けられている場合である。この画面は大型ディスプレイ全体に亘って表示されており，各ペイン同士が重畳しないように，タイル型ウィンドウとして表示されている。なお，図４では後述するピンナップボードは表示していない。
【００６１】
端末側表示処理部３１（ペインビューア）のうち，ほかの端末側表示処理部３１（ペインビューア）と情報の連携を行う機能を有する端末側表示処理部３１（ペインビューア）は，それが起動する際に，端末側通信処理部３２（連携モジュール）をユーザ端末でロードし，実行可能状態とすることで，ユーザ側システム３を構成する。そして端末側表示処理部３１（ペインビューア）で行われた操作は，そのオブジェクトが対応する階層構造化されたメッセージとして生成され，端末側通信処理部３２（連携モジュール）を介してサーバ側システム２に送られる。一方，サーバ側システム２からメッセージが配信された場合には，端末側通信処理部３２（連携モジュール）でそれを受け付け，端末側表示処理部３１（ペインビューア）にメッセージを渡す。端末側表示処理部３１（ペインビューア）は，自らのレベルにそのメッセージを置換し，対応する処理を実行する。
【００６２】
なお，端末側表示処理部３１（ペインビューア）のうち，ほかの端末側表示処理部３１（ペインビューア）と情報の連携を行わない端末側表示処理部３１（ペインビューア）については，端末側通信処理部３２（連携モジュール）をユーザ端末でロードしない。たとえば図４の場合，上１段の９つのペインビューア，「走行動画」を表示するペインビューア，「画像・図面参照履歴」を表示するペインビューアがこれらに該当する。したがって，図４の場合，この表示装置７２を備えるユーザ端末では，２２個の端末側表示処理部３１（ペインビューア）と１１個の端末側通信処理部３２（連携モジュール）が起動している。
【００６３】
ユーザ側システム３は，表示領域同士の連携を行う場合には，端末側表示処理部３１と端末側通信処理部３２とを有することで実現できるが，さらに表示領域の情報を記憶する表示領域（ペイン）として，ピンナップボードペイン（以下，「ピンナップボード」という）の表示制御を行うペインビューアである端末側表示管理処理部３４と，端末側表示情報記憶部３５とを備える。
【００６４】
端末側表示管理処理部３４が表示制御するピンナップボードは，ユーザ側システム３で表示するほかのペイン（全部または一部のペイン）と連携しており，各ペインにおいて所定の操作が行われると，そのペインの状態をピンナップボードに登録し，表示する。図５に，ペインとしてピンナップボードを備える場合の表示画面の一例を示す。図５において，Ｐ１乃至Ｐ５はそれぞれペインであり，Ｐ１乃至Ｐ４は通常のペイン，Ｐ５はピンナップボードである。また，Ｐ５のピンナップボードの表示領域に表示しているＳ１乃至Ｓ５は，ピンナップ（ピンナップボードに登録）された，ピンナップ時のペインのスクリーンショットを縮小したサムネイルである。また，各ペインには，ピンナップするための所定のマーク（ピンナップアイコン）Ｍが表示されており，それが押下されることで，当該ペインがピンナップボードにピンナップされる。なお，ピンナップボードの表示領域には，サムネイルではなく，スクリーンショットがそのまま表示されていてもよい。すなわち，ピンナップボードの表示領域には，ピンナップ時のペインの等倍または縮小した画像情報が表示されていればよい。等倍の画像情報はスクリーンショットであり，縮小した画像情報はサムネイルである。
【００６５】
端末側表示管理処理部３４は，ピンナップボードにおいて所定の操作を監視する。そして，ピンナップボードで操作対象となったサムネイルが対応するペインに対して，所定の制御処理を実行させる。たとえばサムネイルに対応するスクリーンショットを所定のペイン（あるいは所定箇所）に表示させたり，サムネイルに対応するペインの内部状態情報を，対応するペインに復元させる。これを模式的に示すのが図６である。
【００６６】
端末側表示管理処理部３４は，あるペインにおいてピンナップ操作が行われた場合，端末側表示処理部３１から，そのペインのペイン識別情報，ペインにおいてピンナップ操作された時点のペインの画像情報（スクリーンショット），ペインにおいてピンナップ操作された時点のペインにおける内部状態情報を受け取り，後述する端末側表示情報記憶部３５に，ピンナップ識別情報に対応づけて記憶させる。また，ピンナップボードにおいて，あるサムネイルに対して所定の操作が行われた場合，後述する端末側表示情報記憶部３５を参照して，当該サムネイルが対応するペイン識別情報，ペインのスクリーンショットの画像情報，内部状態情報などを特定し，ペインのスクリーンショットの画像情報，内部状態情報などを，特定したペイン識別情報を有するペインの当該端末側表示処理部３１に渡し，表示または復元操作を行わせる。
【００６７】
なお，端末側表示管理処理部３４は，ピンナップボードでサムネイルを表示する領域と，そこに表示するサムネイルが対応するピンナップ識別情報とを対応づけて管理している。これによって，ピンナップボードのどの表示領域に，どのペインのサムネイルが表示されているかを特定できる。
【００６８】
端末側表示情報記憶部３５は，ピンナップボードに登録されたペインに関する情報を記憶する。たとえばペイン識別情報，ペインにおいてピンナップ操作された時点のペインのスクリーンショットの画像情報，ペインにおいてピンナップ操作された時点のペインにおける情報（内部状態の情報）を，所定の識別情報（ピンナップ識別情報）に対応づけて記憶する。これらの情報をピンナップ情報という。なお，ピンナップ情報としては上記は一例であり，ほかの情報を含んでいてもよい。内部状態情報としては，たとえばメッセージに用いるオブジェクトＩＤや，ペインで表示している情報，検索クエリなどがある。また，ピンナップ識別情報としては，ペインがピンナップされた順番に，一意の情報が自動的に付番されるとよい。図７に，端末側表示情報記憶部３５の一例を模式的に示す。
【００６９】
（基本的構成）
つぎに本発明の情報表示システム１の基本的構成における処理プロセスの一例を図８のフローチャート，図９の処理のイメージ図を用いて説明する。基本的構成においては，端末側表示管理処理部３３（ピンナップボードペインビューア），端末側表示情報記憶部３４を用いない場合の情報表示システム１を説明する。すなわち基本的構成における情報表示システム１は，図１０に示すような構成である。なお，図１の構成における情報表示システム１であっても，基本的構成と同一の構成については，同一の処理を実行する。
【００７０】
本発明の情報表示システム１では，イニシエート処理（Ｓ１００），ノーティファイ処理（Ｓ１１０），ブロードキャスト処理（Ｓ１２０），レスポンス処理（Ｓ１３０）が順次，実行されることで，その処理プロセスが実現される。以下，各処理について説明をする。なお，端末側表示処理部３１をペインビューア，端末側通信処理部３２を連携モジュールとの用語を用いて以下で説明する。またサーバ側システム２における連携処理部２１の機能を連携サーバ，アプリケーション処理部２３の機能をウェブアプリケーションで実現をしている場合を説明する。
【００７１】
まずイニシエート処理（Ｓ１００）について説明する。イニシエート処理とは，ユーザ側システム３の表示装置７２のペインで表示されるオブジェクトに関する情報について連携を行うために，ペイン同士の連携を行う処理である。
【００７２】
本発明の情報表示システム１では，端末表示制御処理部２２において，あらかじめ，組織内のユーザが，所属する部署，職掌，利用するユーザ端末（ユーザ側システム３を実現するコンピュータ）の表示装置７２のサイズや解像度に基づいてグループに分類されている。そして，情報表示システム１のシステム管理者が，各グループについて，複数のペインビューアのレイアウト情報（ペインビューアが表示するペインの組み合わせと配置が定義された情報）をＣＳＳなどによって設定している。
【００７３】
あるユーザ端末において，ユーザ側システム３を起動させる操作が行われると，ユーザ識別情報（ユーザＩＤなど）やユーザ端末を識別する情報などに基づいて，サーバ側システム２から対応する，ペインビューアのレイアウト情報であるＣＳＳの情報を取得する。すなわち，ユーザ側システム３では，ユーザ識別情報，ユーザ端末を識別する情報をサーバ側システム２に送り，サーバ側システム２の端末側表示処理部３１では，ユーザ側システム３から受け取った情報に基づいて，ユーザの部署，職掌，ユーザ端末の表示装置７２のサイズや解像度を特定し，それに対応するペインビューアの情報を特定し，ユーザ側システム３に送る。ユーザ側システム３ではＣＳＳによるペインビューアの情報をサーバ側システム２から受け取ると，ユーザ側システム３の各ペインビューアが起動し，それらの情報に基づいてペインを配置する。なお，ユーザが選択可能なレイアウト情報が複数存在する場合には，ユーザが使用するレイアウト情報を選択し，それに基づいて，使用するＣＳＳが切り替わり，対応するペインビューアの情報を取得して，それらをサーバ側システム２から受け取ると，ユーザ側システム３の各ペインビューアが起動し，それらの情報に基づいてペインを配置する。
【００７４】
そしてペインビューアは自らに対応する連携モジュールを当該ユーザ端末でロードして，実行可能状態とする。通常，一つのユーザ側システム３においてペインビューアは複数あるので，ユーザ側システム３を起動した場合には，複数のペインビューアが各自起動され，各ペインビューアが自らに対応する連携モジュールをロードすることとなる。
【００７５】
ペインビューアは連携サーバに自らを登録するため，登録要求を，対応する連携モジュールに渡す。連携モジュールは，当該ユーザ側システム３を操作するユーザのユーザ識別情報と，ペイン種別識別情報とを，上記登録要求とともに，あらかじめ定められたサーバ側システム２に送る。ペイン種別識別情報とは，ペインビューアがペインに表示させるオブジェクトの情報の種別を示す情報であって，たとえば点検情報を表示するペイン，地図情報を表示させるペイン，広域路線図の情報を表示させるペイン，変状リスト（損傷箇所のリスト）の情報を表示させるペイン，構造物の図面を表示させるペイン，など各種の情報があり，あらかじめペインビューアごとに設定されている。ペイン種別識別情報は，表示領域にどのような情報を設定させるかによって，適宜，設定可能である。
【００７６】
ユーザ側システム３の連携モジュールから登録要求とユーザ識別情報とペイン種別識別情報とを受け取ったサーバ側システム２の連携サーバにおける連携管理部２１１は，当該ペインビューアを識別するためのユニークな識別情報を割り当てる。この識別情報をペインビューア識別情報とする。
【００７７】
連携サーバにおける連携管理部２１１は，割り当てたペインビューア識別情報を，当該登録要求を行った連携モジュールに対して通知する。
【００７８】
また，サーバ側システム２の連携サーバにおける連携管理部２１１は，ユーザ側システム３から受け付けたユーザ識別情報とペイン種別識別情報とペインビューア識別情報とを対応づけて連携情報記憶部２１２に記憶させる。
【００７９】
さらに，情報表示システム１は，ペイン同士の連携を行う処理を実行する。この連携処理は大別して３種類ある。第１の連携処理は，ユーザが異なり，ペイン種別が同一（すなわちペイン種別識別情報が同一）であるペイン同士の連携を行う場合である。たとえばあるユーザ側システム３のペインＰ１と，ほかのユーザ側システム３のペインＰ２との連携を行う場合である。第２の連携処理は，あるユーザが操作するユーザ側システム３のすべてのペインと，ほかのユーザが操作するユーザ側システム３のすべてのペインとで連携を行う場合である。第３の連携処理は，同一のユーザの元で動作するペイン同士の連携を行う場合である。
【００８０】
第１の連携処理は，たとえば現場担当者が操作するタブレット型コンピュータであるユーザ端末で実現されるユーザ側システム３の図面のペインと，事務所の担当者が操作するパーソナルコンピュータであるユーザ端末で実現されるユーザ側システム３の図面のペインとで，図面情報の共有を行う場合などに用いられる。
【００８１】
この場合，連携を行いたい現場担当者（たとえばユーザ識別情報が「６７８９０」であったとする）がそのユーザ側システム３において，連携先となる事務所担当者のユーザ識別情報（たとえば「１２３４５」）とペイン種別識別情報（たとえば「点検情報」）とをそのユーザ側システム３のペインビューアで入力，選択等する。なお，この入力，選択は，プルダウンメニューやペインの選択等によってペインを特定することで，ペイン種別識別情報を自動的に特定してもよく，ユーザ識別情報も自動的に取得してもよい。
【００８２】
連携モジュールは，連携先のユーザ識別情報「１２３４５」とペイン種別識別情報「点検情報」と，自らのユーザ識別情報「６７８９０」と，連携要求とをサーバ側システム２に送る。
【００８３】
サーバ側システム２の連携サーバにおける連携管理部２１１は，ユーザ側システム３から連携要求と，ユーザ側システム３の連携先のユーザ識別情報「１２３４５」とペイン種別識別情報「点検情報」と自らのユーザ識別情報「６７８９０」とを受け付けると，連携先として受け付けたユーザ識別情報「１２３４５」に基づいて，連携先のユーザ側システム３に対して，連携要求がなされ，連携を承諾するかの通知を送る。
【００８４】
この通知を受け付けた，連携先のユーザ側システム３において承諾が選択されると，当該ユーザ側システム３からサーバ側システム２に対して連携処理に対する承諾がなされたことが通知され，それを受け付けたサーバ側システム２における連携サーバの連携管理部２１１が，ユーザ識別情報「６７８９０」のペイン種別識別情報「点検情報」と，連携先となるユーザ識別情報「１２３４５」のペイン種別識別情報「点検情報」と，を連携するグループとして対応づけて連携情報記憶部２１２に記憶させる。これによって，ユーザ識別情報「６７８９０」の点検情報を表示するペインと，ユーザ識別情報「１２３４５」の点検情報を表示するペインとを対応づけて管理することが可能となる。
【００８５】
連携サーバにおける第２の連携処理は，たとえば本社や支社などの防災対策室に設置された大型ディスプレイ装置で表示する画面を，その所長室のコンピュータで確認するような場合などで用いられる。
【００８６】
この場合，連携を行いたい所長室の担当者（たとえばユーザ識別情報が「６７８９０」であったとする）がそのユーザ側システム３において，連携先となる防災対策室のユーザ識別情報（たとえば「１２３４５」）をそのユーザ側システム３のペインビューアで入力，選択等する。なお，ユーザ識別情報は自動的に取得してもよい。
【００８７】
連携モジュールは，連携先のユーザ識別情報「１２３４５」と自らのユーザ識別情報「６７８９０」と，連携要求とをサーバ側システム２に送る。
【００８８】
サーバ側システム２の連携サーバにおける連携管理部２１１は，ユーザ側システム３から連携要求と，ユーザ側システム３の連携先のユーザ識別情報「１２３４５」と自らのユーザ識別情報「６７８９０」とを受け付けると，連携先として受け付けたユーザ識別情報「１２３４５」に基づいて，連携先のユーザ側システム３に対して，連携要求がなされ，連携を承諾するかの通知を送る。
【００８９】
この通知を受け付けた，連携先のユーザ側システム３において承諾が選択されると，当該ユーザ側システム３からサーバ側システム２に対して連携処理に対する承諾がなされたことが通知され，それを受け付けたサーバ側システム２における連携サーバの連携管理部２１１が，ユーザ識別情報「６７８９０」に対応するすべてのペイン種別識別情報と，連携先となるユーザ識別情報「１２３４５」に対応するすべてのペイン種別識別情報と，を連携するグループとして対応づけて連携情報記憶部２１２に記憶させる。これによって，ユーザ識別情報「６７８９０」のすべてのペインと，ユーザ識別情報「１２３４５」のすべてのペインとを対応づけて管理することが可能となる。
【００９０】
第３の連携処理は，そのユーザが利用するペイン同士での連携をする場合である。この場合，当該ユーザが，そのユーザ側システム３において自らのユーザ識別情報を入力，選択等すると，連携モジュールは，自らのユーザ識別情報と連携要求とをサーバ側システム２に送る。サーバ側システム２の連携サーバにおける連携管理部２１１は，ユーザ側システム３からの連携要求とそのユーザ識別情報とを受け付けると，当該ユーザ識別情報に対応するすべてのペイン種別識別情報を，連携するグループとして対応付けて連携情報記憶部２１２に記憶させる。これによって，当該ユーザのすべてのペインを対応付けて管理することが可能となる。
【００９１】
なお，第３の連携処理は，あるユーザが利用するユーザ側システム３で表示するペイン同士での連携処理なので，通常は，第３の連携処理は，第１の連携処理または第２の連携処理と並行して行われていることが好ましい。すなわち，あるユーザがユーザ側システム３を利用している場合，そこで表示するペイン同士で情報の連携が行われていれば，そのユーザにとって利便性が高まる。そのため，当該ユーザが利用するペインはそれぞれを連携するグループとして対応づけておくことがよい。
【００９２】
図９ではユーザ端末１，ユーザ端末２で情報の連携を行う場合，それぞれでペインを表示する場合の一例を示しているが，そのペインの表示において，ペインの連携を行う場合の連携情報記憶部２１２の一例を図１１に示す。図１１では，ユーザ識別情報と，そのユーザが利用するユーザ端末のユーザ側システム３で表示されているペインの種別を示すペイン種別識別情報，ペインビューアを識別するペインビューア識別情報とが対応づけられており，さらに，連携グループ識別情報によって，連携するグループとして対応づけられたペインビューアが管理されることを示している。
【００９３】
図１１（ａ）は上述の第１の連携処理の場合であり，図９におけるユーザ端末１，ユーザ端末２でＡペイン同士のみを連携させた状態の連携情報記憶部２１２の一例を示している。図１１（ｂ）は上述の第２の連携処理の場合であり，図９におけるユーザ端末１，ユーザ端末２のすべてのペインを連携させた状態の連携情報記憶部２１２の一例を示している。図１１（ｃ）は上述の第３の連携処理の場合であり，ユーザ端末１のみ，ユーザ端末２のみでペインの連携をさせた状態の連携情報記憶部２１２の一例である。図１１では，各ペインを連携するグループとして対応づけるため，連携グループ識別情報を用いて管理をしており，これが同一であれば，それは連携するペインであることを示している。
【００９４】
以上のような処理を実行することで，イニシエート処理が実行できる。
【００９５】
つぎにユーザ端末の表示装置７２で表示するペインに対して何らかの操作が行われた場合に行われるノーティファイ処理（Ｓ１１０）と，サーバ側システム２における連携サーバが連携対象となるほかのペインビューアに対して，当該メッセージを配信するブロードキャスト処理（Ｓ１２０）と，配信されたメッセージを受け取ったペインビューアが行うレスポンス処理（Ｓ１３０）と，を説明する。
【００９６】
あるユーザ端末で起動しているユーザ側システム３が，その表示装置７２で表示するペインにおいて，当該ユーザが検索や対象の選択などによる，ペインで表示する表示対象となるオブジェクトの選択処理を行った場合には，ペインビューアは，表示対象となるオブジェクトが切り替わる操作が行われたことを検出し，連携モジュールに対してメッセージを渡す。
【００９７】
ここで渡すメッセージは，ペインに表示する表示対象となるオブジェクトのレベルで階層構造化されたメッセージであって，表示対象となるオブジェクトのレベルの階層構造が複数，含まれていてもよい。図１２に，メッセージの一例を示す。図１２では，表示対象となるオブジェクトの階層構造化されたメッセージとして，構造物である橋梁やトンネルなどのインフラの種別を示すインフラ種別ＩＤ，そのインフラを管理するどこの事務所の管轄にあるかを示す事務所ＩＤ，その事務所で管理する路線を示す路線ＩＤ，その路線における橋梁を示す橋梁ＩＤ，その橋梁の径間を示す径間ＩＤ，その径間における床版ＩＤ，その床版における変状（損傷箇所など）を示す変状ＩＤなど，各オブジェクトの識別情報が階層構造化されていることで，当該ペインで表示するオブジェクトのレベルの階層構造を示している。そして，図１２の１行目と２行目の各メッセージは，同一の橋梁の同一の径間にある別々の変状を特定しており，３行目のメッセージでは別の橋梁を特定している。なお３行目のｖｏｉｄとは下位までレベルの深さを合わせるための情報である。図１２のメッセージの階層構造を模式化したのが図１３である。なお，メッセージの階層構造の表現方法は，図１２や図１３に限定されず，階層構造を表現できる方法であれば如何なる方法であってもよい。
【００９８】
たとえば，ユーザが自らが操作するユーザ側システム３の点検情報ペインにおいて，「Ｘ事務所／Ｙ路線」におけるすべての「レベルＢ以上の○○変状」を表示する，との検索要求を行った場合の動作を説明する。
【００９９】
上記操作が行われた点検情報ペインのペインビューアは，サーバ側システム２における上記変状に関する情報を記憶するウェブアプリケーション（アプリケーション処理部２３）に対して，上記の検索要求を渡す。当該ウェブアプリケーションでは，その検索要求に基づいて変状に関する情報の検索を実行する。そして，その検索結果を，点検情報ペインのペインビューアで取得する。点検情報ペインのペインビューアは，その点検情報ペインに，ウェブアプリケーションから取得した検索結果を表示する。なお，検索結果そのものがリスト化されていなくてもよい。なお，ここで取得した検索結果としては，たとえば検索要求に該当するオブジェクトに関する情報，その階層構造の情報がある。たとえばオブジェクトに関する情報としては，「変状１」，「変状２」，「変状３」に関する情報，各オブジェクトの階層構造としては，「Ｘ事務所（事務所ＩＤ１）」の「Ｙ路線（路線ＩＤ１）」の「α橋（橋梁ＩＤ１）」の「β径間（径間ＩＤ１）」の「γ床版（床版ＩＤ１）」の「変状１（変状ＩＤ１）」と「変状２（変状ＩＤ２）」，「Ｘ事務所（事務所ＩＤ１）」の「Ｙ路線（路線ＩＤ１）」の「β橋（橋梁ＩＤ２）」の「γ番目の橋脚（橋脚ＩＤ１）」の「変状３（変状ＩＤ３）」であったとする。
【０１００】
検索結果を取得した点検情報ペインのペインビューアは，当該ペインにおいて，ウェブアプリケーションから取得した「変状１」，「変状２」，「変状３」に関する情報の表示を行う。なお，検索結果としてのオブジェクトが複数ある場合には，表示するオブジェクトを選択させ，選択されたオブジェクトの情報のみをペインで表示してもよい。
【０１０１】
また点検情報ペインのペインビューアは，当該ペインで表示するオブジェクトについて，「インフラ種別ＩＤ１／事務所ＩＤ１／路線ＩＤ１／橋梁ＩＤ１／径間ＩＤ１／床版ＩＤ１／変状ＩＤ１，インフラ種別ＩＤ１／事務所ＩＤ１／路線ＩＤ１／橋梁ＩＤ１／径間ＩＤ１／床版ＩＤ１／変状ＩＤ２，インフラ種別ＩＤ１／事務所ＩＤ１／路線ＩＤ１／橋梁ＩＤ２／橋脚ＩＤ１／ｖｏｉｄ／変状ＩＤ３」を階層構造化されたメッセージとして連携モジュールに渡す。連携モジュールでは上記メッセージと，当該ペインが対応するペインビューアのペインビューア識別情報とを，サーバ側システム２の連携サーバに渡す。
【０１０２】
以上のような処理でノーティファイ処理を行う。
【０１０３】
そしてノーティファイ処理の終了後，サーバ側システム２の連携サーバでは，ユーザ側システム３から受け取ったメッセージに基づいて，ブロードキャスト処理を実行する。
【０１０４】
まず，サーバ側システム２の連携サーバでは，連携サーバの配信処理部２１３で受け付けたメッセージに対応するペインビューア識別情報に基づいて，そのペインビューア識別情報が対応するユーザ識別情報とペイン種別識別情報とを連携情報記憶部２１２に基づいて特定する。そして特定したユーザ識別情報とペイン種別識別情報とを用いて，それがグループ化されている（対応付けられている）ユーザ識別情報とペイン種別識別情報とを特定する。そして，特定したユーザ識別情報とペイン種別識別情報を備えるペインビューア識別情報が連携情報記憶部２１２に基づいて特定できるので，そのペインビューア識別情報を有するペインビューアを，連携先となるペインビューアとして特定し，特定した連携先となるペインビューアに対して，上記配信を受け付けたメッセージをブロードキャスト配信する。たとえば連携サーバの配信処理部２１３で，ペインビューアＡからメッセージを受け付け，その連携先として，ペインビューアＢ乃至Ｄを特定した場合，ペインビューアＢ乃至Ｄに上記受け付けたメッセージを配信する。
【０１０５】
サーバ側システム２の連携サーバでは，配信処理部２１３で上記メッセージなどを受け付けると，ペインビューアＡのペインビューア識別情報に基づいて連携情報記憶部２１２を参照し，ペインビューアＡのペインビューア識別情報に対応するユーザ識別情報とペイン種別識別情報とを特定する。そして特定したユーザ識別情報とペイン種別識別情報に，連携先としてグループ化されて対応付けられている，ほかのユーザ識別情報とペイン種別識別情報とを特定する。そしてここで特定したユーザ識別情報とペイン種別識別情報とが対応するペインビューア識別情報を，連携情報記憶部２１２に基づいて，実際にメッセージを配信する先のペインビューアとして特定する。そして，特定したペインビューア識別情報を有するペインビューアの連携モジュールに対して，上記メッセージをブロードキャスト配信をする。たとえば地図ペインビューア，路線図ペインビューア，橋梁諸元ペインビューア，図面ペインビューア，変状詳細ペインビューアを特定した場合，上記各ペインビューアが対応する連携モジュールに対して，連携サーバの配信処理部２１３は，「インフラ種別ＩＤ１／事務所ＩＤ１／路線ＩＤ１／橋梁ＩＤ１／径間ＩＤ１／変状ＩＤ１，インフラ種別ＩＤ１／事務所ＩＤ１／路線ＩＤ１／橋梁ＩＤ１／径間ＩＤ１／変状ＩＤ２，インフラ種別ＩＤ１／事務所ＩＤ１／路線ＩＤ１／橋梁ＩＤ２／橋脚ＩＤ１／ｖｏｉｄ／変状ＩＤ３」をメッセージとして配信する。
【０１０６】
以上のような処理を実行することでブロードキャスト処理を実行できる。
【０１０７】
ブロードキャスト処理の終了後，配信されたメッセージに基づいて各ペインビューアにおける対応する処理を行うレスポンス処理を説明する。
【０１０８】
連携サーバの配信処理部２１３からブロードキャスト配信されたメッセージを受け取った各ペインビューアに対応する連携モジュールは，それをペインビューアに渡し，ペインビューアでは，受け取ったメッセージを自らの階層構造のレベルに置換し，その階層構造のレベルにおける，当該ペインビューアであらかじめ定められている処理を実行する。
【０１０９】
たとえば，連携サーバから配信されたメッセージを連携モジュールを介して受け取った地図ペインビューアで表示対象となるオブジェクトのレベルが路線および橋のレベルの場合，受け取ったメッセージを，路線および橋の階層構造のレベルに置換する。すなわち，「インフラ種別ＩＤ１／事務所ＩＤ１／路線ＩＤ１／橋梁ＩＤ１，インフラ種別ＩＤ１／事務所ＩＤ１／路線ＩＤ１／橋梁ＩＤ２」に置換する。そして，当該地図ペインビューアは，地図ペインで表示する地図上の橋梁ＩＤ１（α橋），橋梁ＩＤ２（β橋）に対応する橋が表示できるフレームにズームやパンなどを行い，α橋，β橋にピンを立てるなどのマークを付する処理を実行する。
【０１１０】
連携サーバから配信されたメッセージを連携モジュールを介して受け取った路線図ペインビューアで表示対象となるオブジェクトのレベルが路線および橋のレベルの場合，上記地図ペインビューアと同様に受け取ったメッセージを置換し，路線図ペインで表示する路線図上の橋梁ＩＤ１（α橋），橋梁ＩＤ２（β橋）に対応する各橋が表示できるフレームにズームやパンなどを行い，α橋，β橋にピンを立てるなどのマークを付する処理を実行する。
【０１１１】
また橋梁諸元ペインビューアで表示対象となるオブジェクトのレベルが橋のレベルの場合，上記地図ペインビューアと同様に受け取ったメッセージを橋のレベルのレベルに置換し，橋梁ＩＤ１（α橋），橋梁ＩＤ２（β橋）の橋梁の諸元の情報をサーバ側システム２におけるウェブアプリケーションに問い合わせ，橋梁ＩＤ１（α橋），橋梁ＩＤ２（β橋）の各橋の諸元情報を取得し，それを橋梁諸元ペインで表示する。なお，橋梁諸元ペインでは一つの橋の諸元の情報のみを表示すると設定されていた場合，あらかじめ定められた優先順位に基づいて一つの橋を特定し，サーバ側システム２におけるウェブアプリケーションから諸元の情報を取得してもよい。たとえば複数の橋があった場合に，先頭の橋を優先すると定められていた場合には，橋梁諸元ペインビューアは，「インフラ種別ＩＤ１／事務所ＩＤ１／路線ＩＤ１／橋梁ＩＤ１」と置換し，橋梁ＩＤ１（α橋）の諸元情報をサーバ側システム２のウェブアプリケーションに問い合わせて取得し，橋梁諸元ペインで表示をする。
【０１１２】
さらに図面ペインビューアで表示対象となるオブジェクトのレベルが部材と変状のレベルの場合，「インフラ種別ＩＤ１／事務所ＩＤ１／路線ＩＤ１／橋梁ＩＤ１／径間ＩＤ１／床版ＩＤ１／変状ＩＤ１，インフラ種別ＩＤ１／事務所ＩＤ１／路線ＩＤ１／橋梁ＩＤ１／径間ＩＤ１／床版ＩＤ１／変状ＩＤ２，インフラ種別ＩＤ１／事務所ＩＤ１／路線ＩＤ１／橋梁ＩＤ２／橋脚ＩＤ１／ｖｏｉｄ／変状ＩＤ３」はそのまま置換せずに，図面ペインビューアは，図面を記憶するウェブアプリケーションから上記メッセージに基づいて，上記変状ＩＤ１乃至変状ＩＤ３の存在する部材（橋梁の径間，橋梁の橋脚）の図面情報を取得し，図面ペインで表示をする。なお，橋梁諸元ペインと同様に一つの図面の表示のみを行うことが設定されている場合，あらかじめ定められた優先順位に基づいて一つの部材を特定し，サーバ側システム２におけるウェブアプリケーションからその部材の図面の情報を取得し，図面ペインで表示をしてもよい。この場合，図面ペインビューアは，「インフラ種別ＩＤ１／事務所ＩＤ１／路線ＩＤ１／橋梁ＩＤ１／径間ＩＤ１」に置換し，当該図面ペインにおいて，同一の部材「径間ＩＤ１」の図面を表示して，変状ＩＤ１，変状ＩＤ２の変状の箇所をハイライト表示する。
【０１１３】
変状詳細ペインビューアで表示対象となるオブジェクトのレベルが変状のレベルの場合，メッセージはそのままとして，変状を記憶するウェブアプリケーションに問い合わせ，変状ＩＤ１乃至変状ＩＤ３の画像情報，詳細情報などを取得し，変状詳細ペインで表示を行う。なお，図面ペインと同様に一つの変状の表示のみを行うことが設定されている場合，あらかじめ定められた優先順位に基づいて一つの変状を特定し，サーバ側システム２におけるウェブアプリケーションから変状の画像情報，詳細情報を取得し，変状詳細ペインで表示をしてもよい。この場合，変状詳細ペインビューアは，「インフラ種別ＩＤ１／事務所ＩＤ１／路線ＩＤ１／橋梁ＩＤ１／径間ＩＤ１／床版ＩＤ１／変状ＩＤ１」に置換し，ウェブアプリケーションから変状ＩＤ１の変状の画像情報，詳細情報を取得して，当該変状詳細ペインにおいて，変状ＩＤ１の画像情報，詳細情報を表示する。
【０１１４】
以上のような処理でレスポンス処理を実行できる。
【０１１５】
このように，ある操作が行われたユーザ側システム３のペインビューアから，そのペインビューアで表示するオブジェクトの階層構造のレベルに応じた，階層化されたメッセージが連携モジュールを介してサーバ側システム２の連携サーバに送られ，連携サーバでは連携先となるペインビューアを特定する。そして特定したペインビューアが対応する連携モジュールに対して，連携サーバは当該メッセージをブロードキャスト配信する。連携モジュールを介して配信を受けた連携先のペインビューアは，自らが管理するレベルに応じてメッセージを置換し，ペインビューアごとに設定された処理内容に基づいて，そのメッセージに対応する処理を実行する。
【０１１６】
これによって，ペインビューアで表示するペイン同士の連携が可能となる。
【０１１７】
なお，上述のようにペインに対する操作は，検索要求などのほか，外部入力によって表示が更新される場合がある。たとえば，現場担当者からメッセージが届き，それをチャットのペインに表示する，定期的に構造物の状態をセンシングしているセンサーからのデータをペインに表示する場合などである。これについても，ペインビューアは，表示する内容を連携モジュールを介して連携サーバに送ることで，連携先となるペインでの表示を可能とせしめる。
【０１１８】
この場合にペインビューアが送るメッセージとしては，たとえば「Ｉｎｐｕｔ  ｄｅｖｉｃｅ＝Ｘ，Ｓｅｎｄｅｒ＝Ｘ，Ｍｅｓｓａｇｅ＝”Ｘ”」などのような外部入力先の特定情報，ペイン識別情報，表示する情報の内容などを含むメッセージを生成し，送ることとなる。なお，上述のＸには文字や数字，記号などのほか，文字列，数字列，記号列など適宜の情報が入る。
【実施例１】
【０１１９】
つぎに情報表示システム１の基本的構成にさらに，ペインがピンナップボードにピンナップされる場合の処理を説明する。この場合の情報表示システム１の全体のシステム構成の一例を図１に，処理のイメージを図２に，ユーザ側システム３のイメージの一例を図１４に示す。
【０１２０】
上述の各実施態様と同様に，各ペインではそれぞれ情報を表示している。そして，たとえば，Ｂペインの情報をピンナップしたいとユーザが所望した場合，Ｂペインにおけるピンナップアイコンを押下する。この押下をＢペインのペインビューア（端末側表示処理部３１）が受け付けることで，ＢペインのペインビューアはＢペインのペイン識別情報，Ｂペインのスクリーンショットの画像情報，内部状態情報などのピンナップ情報を，ピンナップボードビューア（端末側表示管理部３４）に渡す。そしてピンナップボードビューアは，ピンナップ識別情報を付番した上で，端末側表示情報記憶部３５に記憶させる。この際に，ピンナップされた日時情報も端末側表示情報記憶部３５に記憶させる。またピンナップビューアは，その表示領域における，一番最近ピンナップされたサムネイルの表示領域に，ピンナップ情報のうちＢペインのスクリーンショットから生成されたサムネイルを表示させる。さらに，サムネイルの表示領域と，そこにピンナップ識別情報１とを対応づけておく。この処理の一例を図１５に示す。なお，ピンナップビューアにおいてピンナップされたサムネイルは，所定の基準に基づいて表示されればよい。すべてのサムネイルを表示してもよいし，一部のサムネイルを表示してもよい。一部のサムネイルを表示する場合，新しくピンナップされたサムネイルから順に所定数を表示し，所定数以上前のサムネイルは，スクロールやページ変更をすることで表示されるようにしてもよい。なお，ピンナップボードの表示領域は限定されているので，その表示領域に表示可能なサムネイルの数と，サムネイルの大きさとはトレードオフの関係にある。そこで，サムネイルの大きさを大きくしてピンナップボードの表示領域に表示可能なサムネイルの数を少なくするか，サムネイルの大きさを小さくしてピンナップボードの表示領域に表示可能なサムネイルの数を大きくするかを選択可能とし，ユーザによる選択にしたがって表示することが好ましい。さらに，記憶装置７１の記憶容量の節約のため，ピンナップボードにピンナップできるサムネイルの数には上限を設ける，または一定期間（たとえば一週間）経過したら自動的に削除するようにしてもよい。この場合，端末表示情報記憶部３５に記憶したピンナップ日時や，ピンナップ数などによって削除の判定を行える。
【０１２１】
以上のような処理を実行することで，ピンナップボードには，ピンナップした時点におけるＢペインのサムネイルが表示される。
【０１２２】
そして，さらにＣペインのピンナップアイコンが押下されたとする。この押下をＣペインのペインビューア（端末側表示処理部３１）が受け付けることで，ＣペインのペインビューアはＣペインのペイン識別情報，Ｃペインのスクリーンショットの画像情報，内部状態情報などのピンナップ情報を，ピンナップボードビューア（端末側表示管理部３４）に渡す。そしてピンナップボードビューアは，ピンナップ識別情報を付番した上で，端末側表示情報記憶部３５に記憶させる。この際に，ピンナップされた日時情報も端末側表示情報記憶部３５に記憶させる。さらに，ピンナップボードビューアは，最近から二番目にピンナップされたサムネイルの表示領域に，ピンナップ情報のうちＢペインのスクリーンショットから生成されたサムネイルを表示させ，一番最近にピンナップされたサムネイルの表示領域にピンナップ情報のうちＣペインのサムネイルを表示させる。また，二番目のサムネイルの表示領域とピンナップ識別情報１を，一番目のサムネイルの表示領域とピンナップ識別情報２とを対応づけておく。この処理の一例を図１６に示す。なお，ペインがピンナップされるごとに，サムネイルの表示領域とピンナップ識別情報との対応を，順次，更新する。
【０１２３】
つぎに，ピンナップボードから，各ペインに再表示をする場合の処理を説明する。なお，再表示には２通りある。第１は，ピンナップボードに表示しているサムネイルに対応するスクリーンショットを，対応するペインの表示領域に，表示のみ一時的に再現する場合，第２は，ピンナップボードの情報を，対応するペインに復元し，引き続く操作を可能とする場合である。
【０１２４】
まず，ピンナップボードに表示しているサムネイルを，対応するペインに再現する場合を説明する。この処理の一例を図１７に示す。
【０１２５】
ピンナップボードに表示しているサムネイルを再現したいユーザは，所定の操作，たとえばサムネイルにマウスなどの入力装置を重ねるなどをすると，ピンナップボードビューアは，その操作を検出する。そして，ピンナップボードビューアは，所定の操作が行われたサムネイルの表示領域に対応するピンナップ識別情報に基づいて，端末側表示情報記憶部３５を参照し，所定の操作が行われたサムネイルのペイン識別情報を特定する。そして，特定したペイン識別情報を有するペインのペインビューアに対して，そのサムネイルが対応するスクリーンショットの画像情報を渡す。なお，画像情報を渡すとの意味には，画像情報そのものを渡すほか，画像情報の識別情報（画像ＩＤ），画像情報へのポインタを渡すなども含む。すなわち，画像情報を表示可能にする情報がやりとりされるのであれば如何なるものでもよい。
【０１２６】
スクリーンショットの画像情報を受け取ったペインビューアは，受け取ったスクリーンショットをそのペインに表示させる。この表示の際には，対象ペインを動作させない重畳表示であってもよいし，対象ペインを通じて表示を切り替えてもよい。以下では後者の場合を説明する。
【０１２７】
図１７の場合，ピンナップボードにおけるペインＢのサムネイルにマウスが重ねられるので，ピンナップボードビューアは，当該サムネイルの表示領域に対応するピンナップ識別情報１に基づいて，端末側表示情報記憶部３５を参照し，ペイン識別情報００２を特定する。そして特定したペイン識別情報００２を有するＢペインのペインビューアに対して，端末側表示情報記憶部３５に記憶するＢペインのサムネイルが対応するスクリーンショットの画像情報を渡す。そして，Ｂペインのペインビューアは，受け取ったスクリーンショットをＢペインに表示する。
【０１２８】
以上のような処理によって，ピンナップボードのサムネイルが対応するスクリーンショットを，対応するペインに再現して表示することができる。
【０１２９】
さらに，ユーザがピンナップボードのサムネイルの再現の表示をやめる場合には，所定の操作，たとえばサムネイルの表示領域からマウスなどの入力装置を外すなどすると，ピンナップボードビューアは，その操作を検出する。そして，ピンナップボードビューアは，所定の操作が行われたサムネイルの表示領域に対応するピンナップ識別情報に基づいて，端末側表示情報記憶部３５を参照し，所定の操作が行われたサムネイルのペイン識別情報を特定する。そして，特定したペイン識別情報を有するペインのペインビューアに対して，サムネイルが対応するスクリーンショットの非表示の指示を渡す。この指示を受け取ったペインビューアは，サムネイルが対応するスクリーンショットの表示を中止し，もとの表示を行う。
【０１３０】
図１７の場合，ピンナップボードにおけるＢペインのサムネイルの表示領域からマウスが外されると，ピンナップボードビューアは，当該サムネイルの表示領域に対応するピンナップ識別情報１に基づいて，端末側表示情報記憶部３５を参照し，ペイン識別情報００２を特定する。そして特定したペイン識別情報００２を有するＢペインのペインビューアに対して，Ｂペインのサムネイルが対応するスクリーンショットの非表示の指示を渡す。そして，Ｂペインのペインビューアは，表示していたＢペインのサムネイルが対応するスクリーンショットの表示を中止し，もとの表示，すなわち，Ｂペインが本来行うべき表示に戻す。
【０１３１】
なお，ピンナップボードのサムネイルの再現表示をする場合，上述のように，対応するペインに表示させるほか，ほかのペインに上述の情報を渡してそのサムネイルが対応するスクリーンショットを表示させてもよいし，あるいはポップアップ画面のように，ほかのペインの一部または全部に重畳するようにそのサムネイルが対応するスクリーンショットを表示させてもよい。
【０１３２】
以上の再現操作を可能にすることにより，ユーザは縮小表示であるサムネイルのサイズではなく，操作していたときの元のサイズで表示内容を確認できるようになり，利便性が高い。
【０１３３】
つぎに，ピンナップボードの情報を，対応するペインに復元する場合を説明する。これは，対応するペインに，単にサムネイルが対応するスクリーンショットを表示させるのみならず，ペインで以降の操作を可能にするために，ペインの内部状態そのものを復元する場合である。この処理の一例を図１８に示す。
【０１３４】
端末側表示処理部３１がペインで情報を表示するためには，アプリケーション処理部２３などから表示する情報を取得して，内部状態の情報として保持している。そして，図１７の処理では，ピンナップボードのサムネイルが対応するスクリーンショットを，ペインの表示領域に表示させているのみなので，ペインで表示しているスクリーンショットと，そのペインで実際に保持している内部状態の情報とは一致していない。これは，単にサムネイルの表示内容の確認のために用いる操作だからである。一方，図１８の場合には，ペインの内部状態の情報自体を復元するので，ペインの内部状態の情報と，内部状態に基づいてペインで表示する情報とは一致することとなる。これによって，当該ペインで以降に引き続く操作が可能になると同時に，当該ペインと連携するほかのペインにも，その復元した内容を反映させることができる。
【０１３５】
ピンナップボードに表示しているサムネイルの状態を，対応するペインに復元したいユーザは，所定の操作，たとえばサムネイルの表示領域でマウスなどの入力装置で選択する（クリックする）などの操作をすると，ピンナップボードビューアは，その操作を検出する。そして，ピンナップボードビューアは，所定の操作が行われたサムネイルの表示領域に対応するピンナップ識別情報に基づいて，端末側表示情報記憶部３５を参照し，所定の操作が行われたサムネイルのペイン識別情報と内部状態情報とを特定する。そして，特定したペイン識別情報を有するペインのペインビューアに対して，特定した内部状態情報を渡す。ペインの内部状態情報を受け取ったペインビューアは，受け取ったペインの内部状態情報の表示要求と解釈し，その内部状態情報に基づいて，基本的構成における処理と同様にペインで表示を行う。
【０１３６】
図１８の場合，ピンナップボードにおけるＣペインのサムネイルの表示領域でマウスがクリックされたことを検出すると，ピンナップボードビューアは，当該サムネイルの表示領域に対応するピンナップ識別情報２に基づいて，端末側表示情報記憶部３５を参照し，ペイン識別情報００３を特定する。そして特定したペイン識別情報００３を有するＣペインのペインビューアに対して，端末側表示情報記憶部３５に記憶するペインの内部状態情報，たとえば構造物ＩＤを渡す。そして，Ｃペインのペインビューアは，受け取ったペインの内部状態情報の表示要求と解釈し，基本的構成における処理と同様に，内部状態情報に基づいて，通常通り，Ｃペインに表示する。
【０１３７】
このように表示を行ったペインのペインビューアは，基本的構成における処理と同様に，ノーティファイ処理を実行する。すなわち，上記表示を行ったペインビューアは，表示対象となるオブジェクトが切り替わる操作が行われたことを検出し，連携モジュールに対して，上述の内部状態情報に対応するメッセージを渡す。そして連携モジュールは，かかるメッセージと，当該ペインが対応するペインビューアのペインビューア識別情報とを，サーバ側システム２の連携サーバに渡す。
【０１３８】
図１８の場合，Ｃペインのペインビューアは，内部状態情報に基づいて表示が切り替えられたことを検出し，Ｃペインのペインビューアが対応する連携モジュールに対して，内部状態情報，たとえば構造物ＩＤに対応するメッセージを渡す。そして連携モジュールは，構造物ＩＤを含むメッセージと，当該ペインが対応するペインビューアのペインビューア識別情報００３とを，サーバ側システム２の連携サーバに渡す。
【０１３９】
そしてノーティファイ処理の終了後，サーバ側システム２の連携サーバでは，ユーザ側システム３から受け取ったメッセージに基づいて，ブロードキャスト処理を実行する。
【０１４０】
まず，サーバ側システム２の連携サーバでは，連携サーバの配信処理部２１３で受け付けたメッセージに対応するペインビューア識別情報に基づいて，そのペインビューア識別情報が対応するユーザ識別情報とペイン種別識別情報とを連携情報記憶部２１２に基づいて特定する。そして特定したユーザ識別情報とペイン種別識別情報とを用いて，それがグループ化されている（対応づけられている）ユーザ識別情報とペイン種別識別情報とを特定する。そして，特定したユーザ識別情報とペイン種別識別情報を備えるペインビューア識別情報が連携情報記憶部２１２に基づいて特定できるので，そのペインビューア識別情報を有するペインビューアを，連携先となるペインビューアとして特定し，特定した連携先となるペインビューアに対して，上記配信を受け付けたメッセージをブロードキャスト配信する。
【０１４１】
たとえばＣペインに連携するペインが，同一のユーザ側システム２のＡペイン，ほかのユーザ側システム２のＡペイン，Ｂペインに対応していることが連携情報記憶部２１２に記憶されている場合には，それを特定する。そして連携サーバの配信処理部２１３が，特定した連携先となるペインビューア，同一のユーザ側システム２のＡペインのペインビューア，ほかのユーザ側システム２のＡペインのペインビューア，Ｂペインのペインビューアに対して，上記配信を受け付けたメッセージ，たとえば構造部ＩＤのメッセージをブロードキャスト配信をする。
【０１４２】
以上のような処理を実行することでブロードキャスト処理を実行すると，配信されたメッセージに基づいて，各ペインビューアにおいてレスポンス処理を実行する。
【０１４３】
すなわち，Ｃペインと同一のユーザ側システム２のＡペインのペインビューア，ほかのユーザ側システム２のＡペインのペインビューア，Ｂペインのペインビューアでは，連携サーバの配信処理部２１３から受け付けたメッセージ，たとえば構造物ＩＤのメッセージに基づいて，それぞれのペインビューアで対応するレスポンス処理を実行する。
【０１４４】
このような処理を実行することで，ピンナップボードに登録した時点のペインの内部状態に基づいて，当該ペインにその復元を行うことができるとともに，そのペインが連携するほかのペインに対してもその復元した状態に対応する処理を反映させることができる。これによって，たとえば遠隔地にいるユーザに対しても，自分のピンナップボードから自分のペインに復元をするだけで，その情報を即座にすべての連携しているペインを表示しているほかのユーザとも連携することができる。
【０１４５】
なお，実施例１における情報表示システム１は，汎用的なシステムとして用いることもできる。すなわち，サーバ側システム２から配信されるメッセージは階層構造化していなくてもよく，また，各ペインは，メッセージの階層構造に応じたレベルに対応づけられていなくてもよい。サーバ側システム２から配信されたメッセージに応じて，そのメッセージに対応した表示制御を行えばよい。これによって，たとえば，同一または異なるコンピュータ間でそれぞれペインが連携されており，その連携対象となるペインに対して，それぞれメッセージが配信される。そのため，ピンナップボードに登録されたペインを復元する場合，復元したペインに応じたメッセージに対する処理が，連携対象となるほかのペインでも実行することができる。
【実施例２】
【０１４６】
上述の基本的構成および実施例１においては，ペインビューアである端末側表示処理部３１が連携モジュールである端末側通信処理部３２を介してサーバ側システム２に階層構造化したメッセージを送る場合を例として説明したが，階層構造のすべてを送らずに，階層構造における一部の情報のみをノーティファイ処理において送り，サーバ側システム２の連携処理部２１が，それに基づいて，メッセージを階層構造化して生成した上でブロードキャスト処理を実行するように構成をすることもできる。
【０１４７】
すなわち，基本的構成および実施例１のペインビューア（端末側表示処理部３１）では，そのペインビューアが自らが処理対象とする階層構造のレベルを管理しているので，その階層構造のレベルに適したメッセージを連携モジュール（端末側通信処理部３２）を介してサーバ側システム２に送っている。しかし，この場合，すべてのペインに階層構造を管理させるとプログラムモジュール間の依存性が高くなり，プログラムの独立性が低くなってしまう。そのため，ペインビューアから送るメッセージは階層構造のすべてを含むメッセージではなく，自らの階層構造のレベルのオブジェクトの識別情報を含むメッセージを送るように構成してもよい。
【０１４８】
たとえば，基本的構成においては，「インフラ種別ＩＤ１／事務所ＩＤ１／路線ＩＤ１／橋梁ＩＤ１／径間ＩＤ１／床版ＩＤ１／変状ＩＤ１」と階層構造のすべてのレベルを含むメッセージを送っていた。しかし，「変状ＩＤ１」を送るように構成できれば，ペインビューアとなる端末側表示処理部３１のプログラムモジュール間の依存性を低くし，プログラムの独立性を高め，実装する際には有利となる。
【０１４９】
そこで本実施態様では，階層構造のすべてのレベルを含むメッセージを送らずともよい場合を説明する。本実施態様における情報表示システム１の全体のシステム構成の一例を図１９に示す。また，図２０に，本実施態様における，階層構造化したメッセージの生成の概念の一例を示す。
【０１５０】
本実施態様における情報表示システム１のサーバ側システム２では，さらに，メッセージ処理部２１４と階層構造情報記憶部２５とを有する。
【０１５１】
メッセージ処理部２１４は，ユーザ側システム３から階層構造のすべてを含まないメッセージを受け取った場合，そのメッセージを，後述する階層構造情報記憶部２５を参照し，階層構造化する。
【０１５２】
階層構造情報記憶部２５は，本発明の情報表示システム１で処理対象とするオブジェクトについて，そのオブジェクトの識別情報を階層構造が特定できる形態で記憶している。
【０１５３】
図２１に階層構造情報記憶部２５の概念図の一例を模式的に示す。図２１では，階層構造が７レベルに分類されている場合であって，階層レベル１が「インフラ種別ＩＤ」，階層レベル２がそのインフラ種別ＩＤを管理する「事務所」，階層レベル３がその事務所で管理する「路線」，階層レベル４がその路線における「構造物」，階層レベル５がその構造物における「構造物詳細１」（構造物における大きな管理対象），階層レベル６が構造物詳細１における「構造物詳細２」（階層レベル５の構造物詳細をさらに細分化した管理対象），階層レベル７が構造物詳細２における「構造物詳細３」（階層レベル６の構造物詳細をさらに細分化した管理対象）である場合を示している。階層構造は任意にレベルが設定可能であり，各階層をどのような管理対象の括りで特定するかも任意に設定可能である。
【０１５４】
そして階層構造情報記憶部２５では，オブジェクトの識別情報として，階層レベル１には「インフラ種別ＩＤ」を，階層レベル２には「事務所ＩＤ」を，階層レベル３には「路線ＩＤ」を，階層レベル４には構造物を識別する「橋梁ＩＤ」，「トンネルＩＤ」，「ガードレールＩＤ」などを，階層レベル５のうち，構造物が「橋梁」の場合には「径間ＩＤ」，「橋脚ＩＤ」などを，階層レベル６のうち，構造物詳細１が「径間」の場合には「床版ＩＤ」，「鉄骨ＩＤ」などを，階層レベル７のうち，構造物詳細２が「床版」の場合には「変状ＩＤ」などを，割り当てている。
【０１５５】
上述の基本的構成，実施例１の場合と同様に，すべての階層構造を含むメッセージとして，「インフラ種別ＩＤ１／事務所ＩＤ１／路線ＩＤ１／橋梁ＩＤ１／径間ＩＤ１／床版ＩＤ１／変状ＩＤ１，インフラ種別ＩＤ１／事務所ＩＤ１／路線ＩＤ１／橋梁ＩＤ１／径間ＩＤ１／床版ＩＤ１／変状ＩＤ２，インフラ種別ＩＤ１／事務所ＩＤ１／路線ＩＤ１／橋梁ＩＤ２／橋脚ＩＤ１／ｖｏｉｄ／変状ＩＤ３」である場合を用いて説明する。なお，階層構造情報記憶部２５には，上記階層構造にしたがったオブジェクトの識別情報が記憶されているとする。
【０１５６】
階層構造におけるオブジェクトの識別情報の一意性には，上述のように，情報表示システム１のすべてで一意の場合と，その階層構造において一意の場合の２通りの場合がある。
【０１５７】
まず前者の場合，ユーザ側システム３におけるペインビューア（端末側表示処理部３１）は，「変状ＩＤ１」，「変状ＩＤ２」，「変状ＩＤ３」をオブジェクトの識別情報として含むメッセージを連携モジュール（端末側通信処理部３２）を介して，サーバ側システム２に送る。
【０１５８】
サーバ側システム２の連携サーバ（連携処理部２１）の配信処理部２１３で上記メッセージを受け付けると，すべての階層構造が含まれていないメッセージであるので，メッセージ処理部２１４に渡す。この際に，配信処理部２１３は，階層構造のレベルを判定する，あるいはメッセージにすべての階層構造を含んでいないことを示すフラグ（このフラグはペインビューアがメッセージを送る際に付する）を判定するなどによって，すべての階層構造を含むメッセージであるかを判定すればよい。
【０１５９】
配信処理部２１３から「変状ＩＤ１」，「変状ＩＤ２」，「変状ＩＤ３」のメッセージを受け取ったメッセージ処理部２１４は，階層構造情報記憶部２５を参照し，当該「変状ＩＤ１」，「変状ＩＤ２」，「変状ＩＤ３」と合致する識別情報を特定し，その上位の階層構造を抽出し，階層構造化したメッセージを生成する。
【０１６０】
たとえば「変状ＩＤ１」であれば，「インフラ種別ＩＤ１／事務所ＩＤ１／路線ＩＤ１／橋梁ＩＤ１／径間ＩＤ１／床版ＩＤ１／変状ＩＤ１」として階層構造化したメッセージを生成する。同様に「変状ＩＤ２」であれば「インフラ種別ＩＤ１／事務所ＩＤ１／路線ＩＤ１／橋梁ＩＤ１／径間ＩＤ１／床版ＩＤ１／変状ＩＤ２」，「変状ＩＤ３」であれば「インフラ種別ＩＤ１／事務所ＩＤ１／路線ＩＤ１／橋梁ＩＤ２／橋脚ＩＤ１／ｖｏｉｄ／変状ＩＤ３」として階層構造化したメッセージを生成する。
【０１６１】
このように階層構造化して生成したメッセージを，メッセージ処理部２１４は配信処理部３に渡し，配信処理部２１３は実施例１と同様にブロードキャスト処理を実行する。
【０１６２】
また，階層構造におけるオブジェクトの識別情報の一意性が，その階層構造において一意の場合には，以下のような処理を実行する。
【０１６３】
この場合，ユーザ側システム３におけるペインビューア（端末側表示処理部３１）は，「”変状ＩＤ”＝変状ＩＤ１，”変状ＩＤ”＝変状ＩＤ２，”変状ＩＤ”＝変状ＩＤ３」のメッセージを連携モジュール（端末側通信処理部３２）を介して，サーバ側システム２に送る。すなわち，オブジェクトの識別情報のほか，それがどの階層構造におけるオブジェクトの識別情報であるのか，階層レベルを特定する情報を含むメッセージを送ることとなる。
【０１６４】
サーバ側システム２の連携サーバ（連携処理部２１）の配信処理部２１３で上記メッセージを受け付けると，すべての階層構造が含まれていないメッセージであるので，メッセージ処理部２１４に渡す。この際に，配信処理部２１３は，階層構造のレベルを判定する，あるいはメッセージにすべての階層構造を含んでいないことを示すフラグ（このフラグはペインビューアがメッセージを送る際に付する）を判定するなどによって，すべての階層構造を含むメッセージであるかを判定すればよい。
【０１６５】
配信処理部２１３から「”変状ＩＤ”＝変状ＩＤ１，”変状ＩＤ”＝変状ＩＤ２，”変状ＩＤ”＝変状ＩＤ３」のメッセージを受け取ったメッセージ処理部２１４は，階層構造情報記憶部２５を参照し，各識別情報が「変状ＩＤ」に関するものであること，すなわち，まず，階層レベル７の識別情報であることを特定する。そして，つぎに，特定した階層レベルにおける「変状ＩＤ１」，「変状ＩＤ２」，「変状ＩＤ３」と合致する識別情報を特定し，その上位の階層構造を抽出することで，階層構造化したメッセージを生成する。
【０１６６】
たとえば「”変状ＩＤ”＝変状ＩＤ１」であれば，「インフラ種別ＩＤ１／事務所ＩＤ１／路線ＩＤ１／橋梁ＩＤ１／径間ＩＤ１／床版ＩＤ１／変状ＩＤ１」として階層構造化したメッセージを生成する。同様に「”変状ＩＤ”＝変状ＩＤ２」であれば「インフラ種別ＩＤ１／事務所ＩＤ１／路線ＩＤ１／橋梁ＩＤ１／径間ＩＤ１／床版ＩＤ１／変状ＩＤ２」，「，”変状ＩＤ”＝変状ＩＤ３」であれば「インフラ種別ＩＤ１／事務所ＩＤ１／路線ＩＤ１／橋梁ＩＤ２／橋脚ＩＤ１／ｖｏｉｄ／変状ＩＤ３」として階層構造化したメッセージを生成する。
【０１６７】
このように階層構造化して生成したメッセージを，メッセージ処理部２１４は配信処理部３に渡し，配信処理部２１３は基本的構成，実施例１と同様にブロードキャスト処理を実行する。
【０１６８】
以上のような処理を実行することで，ユーザ側システム３がサーバ側システム２にメッセージを送る際に，すべての階層構造を含むメッセージを送らなくてもするように構成することができる。
【実施例３】
【０１６９】
ユーザ側システム３を起動しているユーザ端末の表示装置７２で表示するペインの配置は，たとえば図４に示すように大型ディスプレイ装置であったり，現場担当者が利用するタブレット型コンピュータの場合など，さまざまな表示装置７２のサイズや解像度がある。その場合，その表示装置７２のサイズや解像度に合わせて，各ペインの配置は変更するが，たとえばタブレット型コンピュータの場合，図２２に示すように，タブ方式を用いる場合もある。なお，タブ方式とは，見出し部分の選択により，複数の画面を切り替えて使用する方式をいう。
【０１７０】
タブ方式を用いた場合，すべてのペインが表示されているわけではないが，タブが選択されておらず，現在は見えていないペインについても，ペインモジュールは対応する連携モジュールをロードしている。そして，対象選択変更などのメッセージをサーバ側システム２から受け取るが，ペインビューアはその表示するメッセージを記憶し，そのタイミングでは表示の更新は行わないように構成するとよい。ただし，表示更新のメッセージを受け取った際，ユーザが当該タブを選択するまで，タブ名部分を明滅させるなどで，変更して表示させることで，ユーザが表示内容の更新に気づかずにいることを避けることができる。タブ名部分の表示変更以外に，表示内容の更新などの通知を行うなど，さまざまな方法による通知を行うことができる。
【０１７１】
そして，当該ペインビューアの対応するペインのタブが選択されて表示が行われる場合に，当該ペインビューアは，前記記憶したメッセージを置換し，そのペインビューアで定められた処理，たとえばメッセージに基づいてウェブアプリケーションに問い合わせを行い，該当する情報のペインでの表示処理などを行う。
【０１７２】
これによって，処理能力の高くないタブレット型コンピュータでユーザ側システム３が実現される場合でも，負荷が少なくペインでの表示処理を実現することができる。
【実施例４】
【０１７３】
ユーザ側システム３で複数のペインが表示されている場合，サーバ側システム２からメッセージのブロードキャスト配信を受けると，複数のペインがレスポンス処理を実行することで，システムの反応速度が低下することがある。そのため，ユーザ側システム３で表示するほかのペインの再表示を抑制することで，その反応速度の低下を防止できる。そのため，本実施例においては，表示に時間がかかるペインの再表示を抑制する処理，全体の再表示を抑制し，操作中のペインのみがレスポンス処理を行うようにする処理を行う場合を説明する。
【０１７４】
まず前者の処理については，再表示を抑制したいペインをあらかじめ指定しておき，その指定を受けたペインビューアは，サーバ側システム２からメッセージを受け付けたとしても，レスポンス処理を保留する。そして，レスポンス処理の保留を解除する指示を受け付けることで，レスポンス処理を実行する。
【０１７５】
また後者の処理については，連携サーバがすべてのペインに対するブロードキャスト配信を行うブロードキャスト処理を保留する。そして，ブロードキャスト処理の保留を解除する指示を受け付けることで，ブロードキャスト処理を実行する。
【実施例５】
【０１７６】
本発明の別の実施態様として，複数のペインをまたいでＡＮＤ検索の指定を行える場合を説明する。この場合の情報表示システム１の全体の概念の一例を図２３に示す。本実施態様では，たとえば，橋梁諸元ペインビューアで表示するオブジェクトとして橋梁を選択し直し，そのペインビューアでは選択した橋梁での再表示を行わずに，変状詳細ビューアで変状レベルを限定して（たとえば，現在表示中の「レベルＢ」という表示の選択操作でレベルを限定する），一度に，特定橋梁の特定変状レベルに関わる情報を複数のペインで表示させる場合がある。
【０１７７】
この場合，ユーザ側システム３においては，ＡＮＤ検索条件開始，終了を明示的あるいは黙示的に指定するユーザインターフェイスを実現する検索条件処理部３５を備える。
【０１７８】
検索条件処理部３５を起動する所定の操作を受け付けると，ペインのペインビューア（端末側表示処理部３１）で検索条件の入力を受け付けたとしても，連携モジュール（端末側通信処理部３２）がその検索条件に基づいてサーバ側システム２のウェブアプリケーション（アプリケーション処理部２３）に対して問い合わせを行わず，一時的にその検索条件を検索条件処理部３５が記憶する。そして，検索条件の入力の終了の操作を受け付けるまで，ほかのペインのペインビューア（端末側表示処理部３１）で受け付けた検索条件も，ＡＮＤ条件による検索条件として検索条件処理部３５が一時的に記憶をする。そして，検索条件処理部３５で所定の検索条件の入力の終了操作を受け付けると，最後に検索条件を受け付けたペインのペインビューア（端末側表示処理部３１）に，記憶した検索条件を検索条件処理部３５が渡し，そのペインビューアは，対応する連携モジュールを介して，ＡＮＤ検索として，サーバ側システム２のウェブアプリケーション（アプリケーション処理部２３）に問い合わせを実行し，検索結果を受け付ける。受け付けた検索結果については，実施例１と同様に，ノーティファイ処理を行うことで，ほかのペインの表示にも反映をさせる。なお，検索条件処理部３５で記憶した検索条件を渡してウェブアプリケーションに問い合わせを実行するペインビューアは，最後に検索条件を受け付けたペインビューアに限定されず，検索条件を受け付けたペインビューア，または検索条件を受け付けていないペインビューアであってもよい。
【０１７９】
たとえば，ユーザが異なるペインに亘るＡＮＤ検索を実行したい場合，所定の操作を行うことで，検索条件処理部３５を起動させる。検索条件処理部３５が起動後，ユーザが橋梁諸元ペインで橋梁名を指定する入力を行うと，橋梁諸元ペインビューアでその入力を受け付ける。そして入力された橋梁名を検索条件として検索条件処理部３５で一時記憶する。この際に，橋梁諸元ペインビューアは，サーバ側システム２のウェブアプリケーションには問い合わせは行わない。
【０１８０】
そして，つぎに，ユーザが変状詳細ペインで変状のレベルを指定する入力を行うと，変状詳細ペインビューアでその入力を受け付ける。そして入力された変状のレベルを検索条件として検索条件処理部３５で一時記憶する。この際にも，変状詳細ペインビューアは，サーバ側システム２のウェブアプリケーションには問い合わせを行わない。
【０１８１】
そして，ユーザが検索条件の入力終了操作として，ペインの虫眼鏡アイコン（検索条件の入力終了を意味するアイコン）を選択すると，その選択を検索条件処理部３５で受け付けて，検索条件処理部３５が変状詳細ペインビューアに，検索条件として「橋梁名」と「変状のレベル」とを渡し，変状詳細ペインビューアの連携モジュールが，その各検索条件をＡＮＤ条件としてウェブアプリケーションに問い合わせを行う。
【０１８２】
ウェブアプリケーションからの問い合わせ結果を受け付けた変状詳細ペインビューアの連携モジュールは，その問い合わせ結果を変状詳細ペインビューアに渡し，変状詳細ペインビューアは，変状詳細ペインに問い合わせ結果を表示させる。また，変状詳細ペインビューアは，ノーティファイ処理を実行し，ほかのペインビューアにもその表示を反映させる。
【０１８３】
以上のような処理を検索条件処理部３５で実行することで，それぞれ独立しているペインおよびペインビューアについて，ＡＮＤ条件で検索を実行することが可能となる。
【実施例６】
【０１８４】
本発明の情報表示システム１を用いることによって，ペイン同士が連携して情報を適宜，表示させることで，ユーザによる操作を減らすことができる。しかし，ほかのユーザによる操作などによって，予期していない表示が行われ，操作上の戸惑いや混乱が生じる可能性もある。そこで，本実施態様の情報表示システム１では，いまどのような処理を行っているかを表示するシステムメッセージペインを備え，それを表示装置７２で表示させる場合である。
【０１８５】
システムメッセージペインとは，連携サーバから受け取ったメッセージに基づいて，「複数の変状が選択されました。」，「α橋の情報を表示します。」と表示したり，「路線／橋梁／部材／変状」などの階層構造のレベルのうち，今どのレベルについて特定されているのかを表示するペインである。したがって，システムメッセージペインのペインビューアは，同一のユーザ側システム３で起動しているほかのペインビューアでのメッセージや，そのペインビューアにおけるメッセージの置換，実行する処理などを監視する。そして監視した，ほかのペインビューアにおける表示情報を，自らのペイン（システムメッセージペイン）において表示する制御を行う。
【実施例７】
【０１８６】
さらに本発明の情報表示システム１において，サーバ側システム２の連携サーバで受け取ったメッセージをすべて所定のログサーバで記憶しておいてもよい。この場合，連携サーバの配信処理部２１３で受け付けたメッセージを所定のログ記憶部２４をログサーバとしてメッセージの記憶に用いる。本実施態様の情報表示システム１の全体のシステム構成の一例を図２４に示す。
【０１８７】
ログサーバにおけるメッセージの記憶によって，本発明の情報表示システム１におけるすべての履歴を一括して蓄積できる。そしてログサーバに記憶したメッセージを逐次再現することで，過去のユーザ側システム３のペインでの表示を再現することもできる。
【実施例８】
【０１８８】
基本的構成，実施例１乃至実施例７の異なる実施態様として，ユーザが誤って操作をした場合，その状態を元に戻す場合の処理を説明する。たとえば，ユーザがあるペインにおいて，誤った操作を行ってしまった場合，そのペインがほかのペインと連携しているときには，誤って操作をしたペインのみならず，連携しているほかのペインにもその誤操作が反映する。そのため，誤って操作をしたユーザのみならず，ほかのユーザに対しても，いままでの操作とは関連性が低い表示に更新されてしまう。そのため，簡単な操作で元に戻せることが好ましい。
【０１８９】
これに対応するため，実施例７の情報表示システム１の機能を用いるとよい。すなわち，実施例７の情報表示システム１では，サーバ側システム２の連携サーバの配信処理部２１３で受け付けたメッセージを，ログサーバである所定のログ記憶部２４に記憶させている。そこで，画面上に，一つ前の操作に戻るためのリワインドボタンＲＢを設ける。リワインドボタンＲＢが押下されたことを検出すると，そのユーザによる最後から２番目の操作の内容を連携サーバに特定させ，実行させる。これによって，誤って操作をしてしまった場合にも，各ペインを元の状態に戻すことができる。この場合，リワインドボタンＲＢを設けるのは，その操作を行うためのペイン（プレイバックペイン）である。
【０１９０】
また，リワインドボタンＲＢのみならず，フォワードボタンＦＢを設けてもよい。リワインドボタンＲＢ，フォワードボタンＦＢによって，ユーザは，自在に，直前，さらにその前の表示状態に戻したり，現在の状態に戻したりできるようになる。この場合の情報表示システム１の全体のシステム構成の一例を図２５に示す。
【０１９１】
本実施態様の情報表示システム１では，リワインドボタンＲＢ，フォワードボタンＦＢを表示するペイン（プレイバックペイン）を制御するペインビューア（プレイバックペインビューア）として機能する端末側復元処理部３６を有する。図２６に，プレイバックペインを含む画面の一例を示す。図２６では，Ｐ１ペイン乃至Ｐ４ペインを表示しており，Ｐ１ペイン乃至Ｐ３ペインが通常のペイン，Ｐ４ペインがプレイバックペインである。そして，Ｐ４ペインにおいて，リワインドボタンＲＢ，フォワードボタンＦＢを表示している。また，本実施態様におけるリワインド処理を図２７に，フォワード処理を図２８に示す。なお，図２７，図２８では端末側表示管理処理部３３，端末側表示情報記憶部３４に関する表示は省略している。
【０１９２】
まずリワインド処理を説明する。
【０１９３】
ユーザはプレイバックペインに表示するリワインドボタンＲＢを，マウスなどの入力装置などでクリックする。この選択をプレイバックペインビューアが検出すると，プレイバックペインビューアは，クリックされた回数ｎに応じた，ｎ個前のログを使って表示更新する要求メッセージ（ｎ個前の操作による表示を行う要求メッセージ）を，プレイバックペインビューアに対応する連携モジュールに渡す。なおｎは１から始まり，リワインドボタンＲＢが押下されるたびにインクリメントし，フォワードボタンＦＢが押されるたびにデクリメントする。そして連携モジュールでは，受け取った上記要求メッセージと，当該ユーザのユーザ識別情報とを，サーバ側システム２に渡す。
【０１９４】
ユーザ側システム３の連携モジュールから，上記要求メッセージを受け付けたサーバ側システム２の連携処理部２１における配信処理部２１３は，その要求メッセージに基づいてログ記憶部２４を参照し，当該ユーザ識別情報を有するログのうち，ｎ個前のログを特定する。そして，配信処理部２１３が，そのログに基づくメッセージを，そのログにおけるメッセージが連携するペインビューアに対してブロードキャスト配信をする。なお連携するペインビューアを特定する処理は，基本的構成，実施例１乃至実施例７と同様の処理で実現できる。
【０１９５】
これによって，連携サーバからメッセージのブロードキャスト配信を受けた，ユーザ側システム３の各連携モジュールは，対応するペインビューアにそのメッセージを渡し，各ペインビューアで対応する処理を実行させる。
【０１９６】
以上のような処理を実行することでリワインド処理が実行できる。
【０１９７】
つぎにフォワード処理を説明する。
【０１９８】
ユーザはプレイバックペインに表示するフォワードボタンＦＢを，マウスなどの入力装置などでクリックする。この選択をプレイバックペインビューアが検出すると，プレイバックペインビューアは，直前の操作がリワインド操作またはフォワード操作でなければ，フォワードボタンＦＢが押下されたことを無視する。直前の操作がリワインド操作またはフォワード操作の場合，ｎは１から始まり，リワインドボタンＲＢが押下されるたびにインクリメントし，フォワードボタンＦＢが押されるたびにデクリメントする。このようにして求められたｎに応じて，ｎ個前のログを使って表示更新する要求メッセージ（ｎ個前の操作による表示を行う要求メッセージ）を，プレイバックペインビューアに対応する連携モジュールに渡す。そして連携モジュールでは，受け取った上記要求メッセージと，当該ユーザのユーザ識別情報とを，サーバ側システム２に渡す。以降の処理は，リワインド処理の場合と同一である。
【０１９９】
以上のような処理を実行することでフォワード処理が実行できる。
【０２００】
なお，リワインドボタンＲＢが押下された操作，フォワードボタンＦＢが押下された操作については，ログ記憶部２４において記憶をしない。
【０２０１】
さらに，実施例１における第２の表示領域に記録された第１の表示領域の「復元」操作についてもログ記憶部２４において記憶をしない。そのため，端末側表示管理処理部３３は，復元する対象となる第１の表示領域を制御する端末側表示処理部３１に，ログとして記憶をしないことを示すタグを付して，第１の表示領域の内部状態情報を渡す。そして，渡した第１の表示領域の画像情報に基づいて，端末側表示処理部３１が第１の表示領域に内部状態情報を復元した場合，その第１の表示領域を制御する端末側表示処理部３１は，端末側通信処理部３２からサーバ側システム２にメッセージの通知を行う際に，ログ記憶部２４にログとして記憶しないことを示すタグを付して通知を行う。そしてこの通知を受け付けたサーバ側システム２では，当該タグを付したメッセージを受け付けた場合，そのメッセージはログとしてログ記憶部２４に記憶をしない制御をする。
【０２０２】
以上のように，リワインド操作，フォワード操作，復元操作についてはログとして記憶をしないことで，ユーザビリティを高めることができる。
【実施例９】
【０２０３】
本発明の情報表示システム１は，上述では道路や鉄道などの構造物の維持管理の場合に適用することを説明したが，管理対象を階層構造化して管理しているものであればほかの分野にも適用できる。たとえば電力インフラや通信インフラ，上下水道，プラント，航空宇宙インフラ，交通ネットワークインフラなどの維持管理にも適用可能である。
【０２０４】
なお，基本的構成，実施例１乃至実施例８における実施態様をそれぞれ組み合わせた情報表示システム１を構成してもよい。
【産業上の利用可能性】
【０２０５】
本発明の情報表示システムを用いることによって，連携する表示領域に関連情報を表示させながら，表示領域に表示する情報を保持し，また簡単な操作で復元することができる。
【符号の説明】
【０２０６】
１：情報表示システム
２：サーバ側システム
３：ユーザ側システム
２１：連携処理部
２２：端末表示制御処理部
２３：アプリケーション処理部
２４：ログ記憶部
２５：階層構造情報記憶部
３１：端末側表示処理部
３２：端末側通信処理部
３３：端末側表示管理処理部
３４：端末側表示情報記憶部
３５：検索条件処理部
３６：端末側復元処理部
７０：演算装置
７１：記憶装置
７２：表示装置
７３：入力装置
７４：通信装置
２１１：連携管理部
２１２：連携情報記憶部
２１３：配信処理部
２１４：メッセージ処理部
【図１】
2019106618.tif 000003
【図２】
2019106618.tif 000004
【図３】
2019106618.tif 000005
【図４】
2019106618.tif 000006
【図５】
2019106618.tif 000007
【図６】
2019106618.tif 000008
【図７】
2019106618.tif 000009
【図８】
2019106618.tif 000010
【図９】
2019106618.tif 000011
【図１０】
2019106618.tif 000012
【図１１】
2019106618.tif 000013
【図１２】
2019106618.tif 000014
【図１３】
2019106618.tif 000015
【図１４】
2019106618.tif 000016
【図１５】
2019106618.tif 000017
【図１６】
2019106618.tif 000018
【図１７】
2019106618.tif 000019
【図１８】
2019106618.tif 000020
【図１９】
2019106618.tif 000021
【図２０】
2019106618.tif 000022
【図２１】
2019106618.tif 000023
【図２２】
2019106618.tif 000024
【図２３】
2019106618.tif 000025
【図２４】
2019106618.tif 000026
【図２５】
2019106618.tif 000027
【図２６】
2019106618.tif 000028
【図２７】
2019106618.tif 000029
【図２８】
2019106618.tif 000030